(57)【要約】【課題】折り処理をした後に裁断処理したシートの束におけるページ捲り等の使い勝手が良く、シートの束の折り部の折れが十分に行われて見栄えも良く、その装置もシートの束の移送距離が短く、耐久性に優れ安全で小型の裁断装置及びその裁断装置を具備する画像形成の後処理装置並びに画像形成装置を提供する。【解決手段】折り処理搬送路１に略垂直方向に移動してシートの束（Ｐ）に折り目を施す折りプレート２と、シートの束（Ｐ）の折り目に折り処理を施す折り手段３と、折り手段３の形成した折り部に増し折り処理を施す増し折り手段４と、増し折り手段４で増し折り処理を施した後のシートの束（Ｐ）の端面を裁断処理する裁断手段５と、裁断手段５と増し折り手段４の間に配置されて各増し折り手段４の増し折り処理時と裁断手段５の裁断処理時にシートの束（Ｐ）を押さえる押え手段６とからなる。【選択図】      図１
2004168499.tif 000002
【特許請求の範囲】
【請求項１】
搬入されるシートに対して折り処理をした後に裁断の処理をする裁断装置において、搬入されるシートの束を搬送する折り処理搬送路と、上記折り処理搬送路と略直交する方向に移動してシートの束に折り目を施す折りプレートと、上記折りプレートが施したシートの束の折り目に折り処理を施す折り手段と、上記折り手段の形成した折り部に増し折り処理を施す増し折り手段と、上記増し折り手段で増し折り処理を施した後のシートの束の端面を裁断処理する裁断手段と、上記裁断手段と上記増し折り手段の間に配置されて各上記増し折り手段の増し折り処理時と上記裁断手段の裁断処理時にシートの束を押さえる押え手段と、からなることを特徴とする裁断装置。
【請求項２】
請求項１に記載の裁断装置において、折り処理搬送路は、連結された綴じ処理手段により綴じ処理を施されたシートの束を搬送することを特徴とする裁断装置。
【請求項３】
請求項１又は２に記載の裁断装置において、折り処理搬送路は、連結された中綴じスティプラによりシートの中央部を綴じる中綴じ処理を施されたシートの束を搬送することを特徴とする裁断装置。
【請求項４】
請求項１、２又は３に記載の裁断装置において、折り手段、増し折り手段、裁断手段並びに押え手段は、折りプレートが折り目を施したシートの束の搬送方向の上流側から上記折り手段、上記裁断手段、上記押え手段、上記増し折り手段の順序に直列に配置したことを特徴とする裁断装置。
【請求項５】
請求項１、２、３又は４に記載の裁断装置において、折り手段は、折りプレートが折り目を施したシートの束を進入させる回動可能に保持された一対のローラからなる一対の折りローラであることを特徴とする裁断装置。
【請求項６】
請求項１、２、３、４又は５に記載の裁断装置において、増し折り手段は、折り手段で折り目に折り処理を施されたシートの束の折り部を回動自在に支持されて増し折り処理をする増し折りローラと、上記増し折りローラを回動自在に支持する増し折りローラ支持手段と、上記増し折りローラ支持部材を上記折り手段で折り目に折り処理を施されたシートの束の搬送方向と交わる方向に案内して移動する案内移動部材と、からなることを特徴とする裁断装置。
【請求項７】
請求項６に記載の裁断装置において、増し折りローラは、下ガイド板上に搬送されて加圧されるシートの束と接触する部分に摩擦部材を有することを特徴とする裁断装置。
【請求項８】
請求項６又は７に記載の裁断装置において、増し折りローラ支持手段は、上ガイド板に当接して回動自在に保持されたローラ部材を有することを特徴とする裁断装置。
【請求項９】
請求項６、７又は８に記載の裁断装置において、増し折りローラ支持手段は、増し折りローラを下ガイド板上に搬送されたシートの束を加圧する加圧手段を有することを特徴とする裁断装置。
【請求項１０】
請求項９に記載の裁断装置において、加圧手段は、加圧バネ部材であることを特徴とする裁断装置。
【請求項１１】
請求項６、７、８、９又は１０に記載の裁断装置において、案内移動部材は、断面形状が角柱形状部からなるガイド部材を有することを特徴とする裁断装置。
【請求項１２】
請求項１乃至１１の何れか一項に記載の裁断装置において、裁断手段は、直線形状の固定刃と、上記固定刃に当接しながら回転して水平移動する回転移動丸刃とからなることを特徴とする裁断装置。
【請求項１３】
請求項１２に記載の裁断装置において、回転移動丸刃は、回動駆動可能に保持するスライダベースと、上記スライダベースに固定されて固定刃に押圧する押圧部材とからなることを特徴とする裁断装置。
【請求項１４】
請求項１３に記載の裁断装置において、スライダベースは、固定刃が固定されているステーを回転自在に挟み込む複数個のコロ部材とからなることを特徴とする裁断装置。
【請求項１５】
請求項１２、１３又は１４に記載の裁断装置において、回転移動丸刃は、両端が固定されて配回された有端タイミングベルトを介して回転しながら左右に移動することを特徴とする裁断装置。
【請求項１６】
請求項４乃至１５の何れか一項に記載の裁断装置において、押え手段は、シートの束に対して待避可能であることを特徴とする裁断装置。
【請求項１７】
請求項１６に記載の裁断装置において、押え手段が、増し折り手段で増し折り処理を施した後に、上記増し折り手段に対してシートの束の搬送方向下流側に配置された搬送手段でシートの束の先端を挟持させた状態で、シートの束に対して待避してから、元の位置に戻した後に、裁断手段が裁断処理をすることを特徴とする裁断装置。
【請求項１８】
請求項１乃至１７の何れか一項に記載の裁断装置において、押え手段は、シートの束を一対の押えローラで押える一対の押えローラと、上記一対の押えローラのシートの束の押えを解除する押え解除手段とからなることを特徴とする裁断装置。
【請求項１９】
請求項１８に記載の裁断装置において、一対の押えローラは、回動駆動力が伝達される駆動ローラと、上記駆動ローラに従動する従動ローラと、上記駆動ローラと上記従動ローラに加圧力を付与する加圧部材とからなることを特徴とする裁断装置。
【請求項２０】
請求項１８又は１９に記載の裁断装置において、押え解除手段は、従動ローラを回動自在に保持して支点を中心として回動自在のアーム部材と、上記アーム部材を回動駆動する偏芯カムとからなることを特徴とする裁断装置。
【請求項２１】
請求項１乃至２０の何れか一項に記載の裁断装置において、押え手段は、シートの束を搬送することを特徴とする裁断装置。
【請求項２２】
搬入される被転写体のシートに対して画像形成後の処理をする画像形成の後処理装置において、搬入されるトナー画像が形成された被転写体のシートを搬送する後処理搬送路と、上記後処理搬送路から搬入されたトナー画像が形成された被転写体のシート又はシートの束に対して折り処理又は折り処理を施した後に裁断の処理をする上記請求項１乃至２１の何れか一項に記載の裁断装置と、上記裁断装置で折りの処理後又は裁断の処理後のトナー画像が形成された被転写体のシート又はシートの束を排出する下トレイとからなることを特徴とする画像形成の後処理装置。
【請求項２３】
電子写真方法でトナー画像を形成する画像形成装置において、被転写体のシートにトナー画像を形成するトナー画像形成手段と、上記トナー画像形成手段から排出して搬入された被転写体のシートの転写用紙に対して折り処理又は折り処理を施した後に裁断の処理をする上記請求項１乃至２１の何れか一項に記載の裁断装置とからなることを特徴とする画像形成装置。
【発明の詳細な説明】
【０００１】
【発明の属する技術分野】
本発明は、裁断装置、及び、その裁断装置を具備する画像形成の後処理装置並びに画像形成装置に関し、詳しくは、搬入されるシートに対して折り処理をした後に裁断の処理をする裁断装置、及び、搬入される被転写体のシートに対して画像形成後の処理をするその裁断装置を具備する画像形成の後処理装置、並びに、電子写真方法でトナー画像を形成する複写機、プリンター、ファクシミリ装置あるいはこれらの複合機等のその裁断装置を具備する画像形成装置に関する。
【０００２】
【従来の技術】
従来の裁断装置、及び、その裁断装置を具備する画像形成の後処理装置、並びに、電子写真方法でトナー画像を形成する複写機、プリンター、ファクシミリ装置等の画像形成装置において、シートに折り目を施す折り装置、又は、複写機、プリンター等のトナー画像形成部の下流側に配置されて、出力されるシートの被転写体の転写用紙に、更に、綴じ等を施す、画像形成の後処理装置は広く知られているが、昨今その機能は多機能化され、従来の端面綴じに加えて、中綴じ処理を可能としたものも提案されている。
従来、この種の折り装置、又は、画像形成の後処理装置等では、中綴じ製本の折り手段として、中央部を綴じられたシートの束の中綴じ部を略垂直方向に、折りプレートにより押出し、その移動方向に設けた一対の折りローラを通過させることで、シートの束の半折りを行っている。このような中綴じ製本において、見栄えと、ページを捲る使い勝手が非常に重要であり、ユーザーの強い要望でもある。
然し、多数枚のシートが、中綴じされて２つ折りされた場合、２つ折りされたシートの中綴じがなされた側の反対側の端面が楔形状になるために、その２つ折りされたシート端面を片手で押えながら所定のページを捲る場合に、シート端面の中央部までは捲れても、シート端面の中央部以降は一緒に捲れてしまって、所定のページを捲ることが困難になる等、使い勝手が悪くなっていた。
そこで、シート載置部上に載置されたシート束の折り部近傍を押圧する昇降可能な第１押圧手段によりシート束の上面を押圧し、所定時間経過後、シート束の、折り部の反対側端面の小口近傍を押圧する昇降可能な第２押圧手段によりシート束の、折り部の反対側端面の小口近傍の上面を押圧したのち、昇降可能な裁断手段によりシート束の小口を裁断して、シートの小口揃えをすることは公知である（特開２０００−１９８６１３等の公報を参照）。
【０００３】
然し、このように中綴じ製本された冊子におけるページの捲りは容易になるが、昇降可能な第１押圧手段によるシート束の折り部の折れが不十分で見栄えが悪く、装置も大型になっていた。
そこで、同一出願人の発明者は、図６２に図示のように、搬入されるシートの束（Ｐ）に対して折り処理をした後に裁断の処理をするために、折り処理搬送路１０１から搬入されるシートの束（Ｐ）を折りプレート１０２が折り目を施して進入させる回動可能に保持された一対の折りローラ１０３ａからなる折り機構１０３と、増し折りローラ１０４ａをシートの束（Ｐ）の搬送方向と交わる横方向にシートの束（Ｐ）の折り目に折り処理を施された折り部上を回動して移動するようにしてシート束（Ｐ）の折り部の折れが十分に行われて見栄えも良くなる横方式の増し折り機構１０４と、直線形状の固定刃１０５ａに当接しながら回転して水平移動する回転移動丸刃１０５ｂとからなるスライドカッタの裁断機構１０５を、この順でシートの束（Ｐ）の搬送方向に並べて、シートの束の折り部の折れが十分に行われて使い勝手と見栄えも良く、装置も小型化された裁断装置１００、及び、その裁断装置１００を具備する画像形成の後処理装置１１０、並びに、画像形成装置１２０を提案している。
ここで、増し折り機構１０４は、その上流側でシートの束（Ｐ）を押える必要があり、又、裁断装置１００は、その下流側でシートの束（Ｐ）を押える必要がある。
そこで、折り機構１０３の一対の折りローラ１０３ａの加圧ローラを増し折り機構１０４の押えとし、排紙ローラ１０６を裁断装置１００の裁断時の押えとした。
然し、裁断装置１００の裁断時の押えは、比較的に高い押え力が必要となり、これを排紙ローラ１０６で代用する場合は耐久性に劣り危険である。
又、シートの束（Ｐ）後端に処理を施す裁断装置１００が下流側に配置されるために、裁断直前に折り部を支えることが困難で、これを回避するためには装置自体が大型化する。
更に、折り機構１０３からのシートの束（Ｐ）の移動が遅く、加えて、増し折り機構１０４の増し折りが完了してから裁断装置１００の裁断位置までの移送距離が長く、シートの束（Ｐ）のふくらみが増加して、裁断装置１００の裁断時に不揃いとなり見栄えが悪くなっていた。
【特許文献１】特開２０００−１９８６１３公報
【０００４】
【発明が解決しようとする課題】
このように、従来の裁断装置、及び、その裁断装置を具備する画像形成の後処理装置、並びに、画像形成装置は、折り処理をした後に裁断処理したシートの束におけるページ捲り等の使い勝手が悪く、シートの束の折り部の折れが不十分で見栄えも悪く、その装置もシートの束の移送距離が長く、耐久性に劣り危険で、大型化になると言う問題が発生していた。
そこで本発明の課題は、このような問題点を解決するものである。即ち、折り処理をした後に裁断処理したシートの束におけるページ捲り等の使い勝手が良く、シートの束の折り部の折れが十分に行われて見栄えも良く、その装置もシートの束の移送距離が短く、耐久性に優れ安全で小型の裁断装置、及び、その裁断装置を具備する画像形成の後処理装置、並びに、画像形成装置を提供することを目的とする。
【０００５】
【課題を解決するための手段】
上記目的を達成するために、請求項１の本発明は、搬入されるシートに対して折り処理をした後に裁断の処理をする裁断装置において、搬入されるシートの束を搬送する折り処理搬送路と、上記折り処理搬送路に略垂直方向に移動してシートの束に折り目を施す折りプレートと、上記折りプレートが施したシートの束の折り目に折り処理を施す折り手段と、上記折り手段の形成した折り部に増し折り処理を施す増し折り手段と、上記増し折り手段で増し折り処理を施した後のシートの束の端面を裁断処理する裁断手段と、上記裁断手段と上記増し折り手段の間に配置されて各上記増し折り手段の増し折り処理時と上記裁断手段の裁断処理時にシートの束を押さえる押え手段とからなる裁断装置であることを最も主要な特徴とする。
請求項２の本発明は、請求項１に記載の裁断装置において、折り処理搬送路は、連結された綴じ処理手段により綴じ処理を施されたシートの束を搬送する裁断装置であることを主要な特徴とする。
請求項３の本発明は、請求項１又は２に記載の裁断装置において、折り処理搬送路は、連結された中綴じスティプラによりシートの中央部を綴じる中綴じ処理を施されたシートの束を搬送する裁断装置であることを主要な特徴とする。
請求項４の本発明は、請求項１、２又は３に記載の裁断装置において、折り手段、増し折り手段、裁断手段並びに押え手段は、折りプレートが折り目を施したシートの束の搬送方向の上流側から上記折り手段、上記裁断手段、上記押え手段、上記増し折り手段の順序に直列に配置した裁断装置であることを主要な特徴とする。
【０００６】
請求項５の本発明は、請求項１、２、３又は４に記載の裁断装置において、折り手段は、折りプレートが折り目を施したシートの束を進入させる回動可能に保持された一対のローラからなる一対の折りローラである裁断装置であることを主要な特徴とする。
請求項６の本発明は、請求項１、２、３、４又は５に記載の裁断装置において、増し折り手段は、折り手段で折り目に折り処理を施されたシートの束の折り部を回動自在に支持されて増し折り処理をする増し折りローラと、上記増し折りローラを回動自在に支持する増し折りローラ支持手段と、上記増し折りローラ支持部材を上記折り手段で折り目に折り処理を施されたシートの束の搬送方向と交わる方向に案内して移動する案内移動部材とからなる裁断装置であることを主要な特徴とする。
請求項７の本発明は、請求項６に記載の裁断装置において、増し折りローラは、下ガイド板上に搬送されて加圧されるシートの束と接触する部分に摩擦部材を有する裁断装置であることを主要な特徴とする。
請求項８の本発明は、請求項６又は７に記載の裁断装置において、増し折りローラ支持手段は、上ガイド板に当接して回動自在に保持されたローラ部材を有する裁断装置であることを主要な特徴とする。
請求項９の本発明は、請求項６、７又は８に記載の裁断装置において、増し折りローラ支持手段は、増し折りローラを下ガイド板上に搬送されたシートの束を加圧する加圧手段を有する裁断装置であることを主要な特徴とする。
請求項１０の本発明は、請求項９に記載の裁断装置において、加圧手段は、加圧バネ部材である裁断装置であることを主要な特徴とする。
【０００７】
請求項１１の本発明は、請求項６、７、８、９又は１０に記載の裁断装置において、案内移動部材は、断面形状が角柱形状部からなるガイド部材を有する裁断装置であることを主要な特徴とする。
請求項１２の本発明は、請求項１乃至１１の何れか一項に記載の裁断装置において、裁断手段は、直線形状の固定刃と、上記固定刃に当接しながら回転して水平移動する回転移動丸刃とからなる裁断装置であることを主要な特徴とする。
請求項１３の本発明は、請求項１２に記載の裁断装置において、回転移動丸刃は、回動駆動可能に保持するスライダベースと、上記スライダベースに固定されて固定刃に押圧する押圧部材とからなる裁断装置であることを主要な特徴とする。
請求項１４の本発明は、請求項１３に記載の裁断装置において、スライダベースは、固定刃が固定されているステーを回転自在に挟み込む複数個のコロ部材とからなる裁断装置であることを主要な特徴とする。
請求項１５の本発明は、請求項１２、１３又は１４に記載の裁断装置において、回転移動丸刃は、両端が固定されて配回された有端タイミングベルトを介して回転しながら左右に移動する裁断装置であることを主要な特徴とする。
請求項１６の本発明は、請求項４乃至１５の何れか一項に記載の裁断装置において、押え手段は、シートの束に対して待避可能である裁断装置であることを主要な特徴とする。
請求項１７の本発明は、請求項１６に記載の裁断装置において、押え手段が、増し折り手段で増し折り処理を施した後に、上記増し折り手段に対してシートの束の搬送方向下流側に配置された搬送手段でシートの束の先端を挟持させた状態で、シートの束に対して待避してから、元の位置に戻した後に、裁断手段が裁断処理をする裁断装置であることを主要な特徴とする。
【０００８】
請求項１８の本発明は、請求項１乃至１７の何れか一項に記載の裁断装置において、押え手段は、シートの束を一対の押えローラで押える一対の押えローラと、上記一対の押えローラのシートの束の押えを解除する押え解除手段とからなる裁断装置であることを主要な特徴とする。
請求項１９の本発明は、請求項１８に記載の裁断装置において、一対の押えローラは、回動駆動力が伝達される駆動ローラと、上記駆動ローラに従動する従動ローラと、上記駆動ローラと上記従動ローラに加圧力を付与する加圧部材とからなる裁断装置であることを主要な特徴とする。
請求項２０の本発明は、請求項１８又は１９に記載の裁断装置において、押え解除手段は、従動ローラを回動自在に保持して支点を中心として回動自在のアーム部材と、上記アーム部材を回動駆動する偏芯カムとからなる裁断装置であることを主要な特徴とする。
請求項２１の本発明は、請求項１乃至２０の何れか一項に記載の裁断装置において、押え手段は、シートの束を搬送する裁断装置であることを主要な特徴とする。
請求項２２の本発明は、搬入されるトナー画像が形成された被転写体のシートを搬送する後処理搬送路と、上記後処理搬送路から搬入されたトナー画像が形成された被転写体のシート又はシートの束に対して折り処理又は折り処理を施した後に裁断の処理をする上記請求項１乃至２１の何れか一項に記載の裁断装置と、上記裁断装置で折りの処理後又は裁断の処理後のトナー画像が形成された被転写体のシート又はシートの束を排出する下トレイとからなる画像形成の後処理装置であることを最も主要な特徴とする。
請求項２３の本発明は、被転写体のシートにトナー画像を形成するトナー画像形成手段と、上記トナー画像形成手段から排出して搬入された被転写体のシートの転写用紙に対して折り処理又は折り処理を施した後に裁断の処理をする上記請求項１乃至２１の何れか一項に記載の裁断装置とからなる画像形成装置であることを最も主要な特徴とする。
【０００９】
【作用】
上記のように構成された裁断装置及びその裁断装置を具備する画像形成の後処理装置並びに画像形成装置は、請求項１においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえるようにする。
請求項２においては、連結された綴じ処理手段により綴じ処理を施されて搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえるようにする。
請求項３においては、連結された中綴じスティプラによりシートの中央部を綴じる中綴じ処理を施されて搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえるようにする。
請求項４においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に折りプレートが折り目を施したシートの束の搬送方向の上流側から折り手段、裁断手段、押え手段、増し折り手段の順序に直列に配置する。
【００１０】
請求項５においては、搬入されるシートの束を搬送する折り処理搬送路に、略垂直方向に移動してシートの束に折り目を施す折りプレートが施したシートの束の折り目に、折り処理を施す折り手段の折りプレートが折り目を施したシートの束を進入させる回動可能に保持された一対のローラが形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえるようにする。
請求項６においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなるようにする。
請求項７においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなり、増し折りローラは下ガイド板上に搬送されて加圧されるシートの束と接触する部分に摩擦部材を有するようにする。
【００１１】
請求項８においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなり、増し折りローラ支持手段は上ガイド板に当接して回動自在に保持されたローラ部材を有するようにする。
請求項９においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなり、増し折りローラ支持手段は増し折りローラを下ガイド板上に搬送されたシートの束を加圧する加圧手段を有するようにする。
【００１２】
請求項１０においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなり、増し折りローラ支持手段は増し折りローラを下ガイド板上に搬送されたシートの束を加圧する加圧手段の加圧バネ部材を有するようにする。
請求項１１においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に増し折り手段は折り手段で折り目に折り処理を施されたシートの束の折り部を回動自在に支持されて増し折り処理をする増し折りローラと増し折りローラを回動自在に支持する増し折りローラ支持手段と増し折りローラ支持部材を折り手段で折り目に折り処理を施されたシートの束の搬送方向と交わる方向に案内して移動する案内移動部材とからなり、案内移動部材は断面形状が角柱形状部からなるガイド部材を有するようにする。
【００１３】
請求項１２においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に裁断手段は直線形状の固定刃と固定刃に当接しながら回転して水平移動する回転移動丸刃とからなるようにする。
請求項１３においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に裁断手段は直線形状の固定刃と固定刃に当接しながら回転して水平移動する回転移動丸刃とからなり、回転移動丸刃は回動駆動可能に保持するスライダベースとスライダベースに固定されて固定刃に押圧する押圧部材とからなるようにする。
請求項１４においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に裁断手段は直線形状の固定刃と固定刃に当接しながら回転して水平移動する回転移動丸刃とからなり、回転移動丸刃は回動駆動可能に保持するスライダベースとスライダベースに固定されて固定刃に押圧する押圧部材とからなり、スライダベースは固定刃が固定されているステーを回転自在に挟み込む複数個のコロ部材とからなるようにする。
請求項１５においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に裁断手段は直線形状の固定刃と固定刃に当接しながら回転して水平移動する回転移動丸刃とからなり、回転移動丸刃は両端が固定されて配回された有端タイミングベルトを介して回転しながら左右に移動するようにする。
【００１４】
請求項１６においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に折りプレートが折り目を施したシートの束の搬送方向の上流側から折り手段、裁断手段、押え手段、増し折り手段の順序に直列に配置して、押え手段はシートの束に対して待避可能にする。
請求項１７においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に折りプレートが折り目を施したシートの束の搬送方向の上流側から折り手段、裁断手段、押え手段、増し折り手段の順序に直列に配置して、押え手段はシートの束に対して待避可能で増し折り手段で増し折り処理を施した後に増し折り手段に対してシートの束の搬送方向下流側に配置された搬送手段でシートの束の先端を挟持させた状態でシートの束に対して待避してから元の位置に戻した後に裁断手段が裁断処理をするようにする。
【００１５】
請求項１８においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に押え手段はシートの束を一対の押えローラで押える一対の押えローラと一対の押えローラのシートの束の押えを解除する押え解除手段とからなるようにする。
請求項１９においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に押え手段はシートの束を一対の押えローラで押える一対の押えローラと一対の押えローラのシートの束の押えを解除する押え解除手段とからなり、一対の押えローラは回動駆動力が伝達される駆動ローラと駆動ローラに従動する従動ローラと駆動ローラと従動ローラに加圧力を付与する加圧部材とからなるようにする。
請求項２０においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に押え手段はシートの束を一対の押えローラで押える一対の押えローラと一対の押えローラのシートの束の押えを解除する押え解除手段とからなり、押え解除手段は従動ローラを回動自在に保持して支点を中心として回動自在のアーム部材とアーム部材を回動駆動する偏芯カムとからなるようにする。
【００１６】
請求項２１においては、搬入されるシートの束を搬送する折り処理搬送路に、略垂直方向に移動してシートの束に折り目を施す折りプレートが施したシートの束の折り目に、折り処理を施す折り手段の形成した折り部に増し折り処理を施す増し折り手段で増し折り処理を施した後のシートの束の端面を裁断処理する裁断手段と、増し折り手段との間に配置された押え手段によって、各増し折り手段の増し折り処理時と裁断手段の裁断処理時にシートの束を押さえると共に押え手段はシートの束を搬送するようにする。
請求項２２においては、搬入されるトナー画像が形成された被転写体のシートを搬送する後処理搬送路から搬入されたトナー画像が形成された被転写体のシート又はシートの束に対して折り処理又は折り処理を施した後に裁断の処理をする上記請求項１乃至２１の何れか一項に記載の裁断装置で折りの処理後又は裁断の処理後のトナー画像が形成された被転写体のシート又はシートの束を、下トレイに排出する。
請求項２３においては、被転写体のシートにトナー画像を形成するトナー画像形成手段から排出して搬入された被転写体のシートの転写用紙に対して、上記請求項１乃至２１の何れか一項に記載の裁断装置によって、折り処理又は折り処理を施した後に裁断の処理をする。
【００１７】
【発明の実施の形態】
次に、本発明の実施の形態を図面を参照して詳細に説明する。
図１は本発明の裁断装置の一例の要部構成説明図であり、同図において、搬入されるシートに対して折り処理をした後に裁断の処理をする裁断装置０は、連結された綴じ処理手段７の中綴じスティプラ７ａによりシート（ｐ）の中央部を綴じる中綴じ処理を施されて搬入されるシートの束（Ｐ）を搬送する折り処理搬送路１と、上記折り処理搬送路１に図示の矢印（Ａ）方向の略直交方向に移動してシートの束（Ｐ）に折り目を施す折りプレート２と、上記折りプレート２が施したシートの束（Ｐ）の折り目に簡単な装置で確実に折り処理を施す折り手段３の一対の折りローラ３ａと、一対の折りローラ３ａの形成した折り部に増し折り処理を施す増し折り手段４の増し折りローラ４ａと、増し折りローラ４ａで増し折り処理を施した後のシートの束（Ｐ）の端面を裁断処理する裁断手段５の固定刃５ａと回転移動丸刃５ｂと、固定刃５ａと回転移動丸刃５ｂと増し折りローラ４ａの間に配置されて各増し折りローラ４ａの増し折り処理時と固定刃５ａと回転移動丸刃５ｂの裁断処理時にシートの束（Ｐ）を押さえる押え手段６の一対の押えローラ６ａと、シートの束（Ｐ）を一対の搬送ローラで搬送して排出する搬送手段８からなり、上記折りプレート２が折り目を施したシートの束（Ｐ）の図示の矢印（Ｂ）方向の搬送方向の上流側から上記折り手段３、上記裁断手段５、上記押え手段６、上記増し折り手段４、上記搬送手段８の順序に直列に配置したから、折り処理をした後に裁断処理したシート（ｐ）の中央部を綴じる中綴じ処理が施されたシートの束（Ｐ）におけるページ捲り等の使い勝手が良く、シートの束（Ｐ）の折り部の折れが十分に行われて見栄えも更に良く、その装置もシートの束（Ｐ）の移送距離が更に短く、耐久性に更に優れ更に安全で更に小型である。
一対の折りローラ上３ａ１と折りローラ下３ａ２の形成するニップ部（ｎ）を上記折りプレート２の移動軌跡線（ｌ）上に保持するようにして、上記折り手段３の折り位置と中綴じスティプラ７ａよる中綴じ位置が、簡単な装置で正確に確実に一致して折りの処理が施されるようになっている。
【００１８】
図２乃至図４において、上記増し折り手段４は、一対の折りローラ上３ａ１と上記折りローラ下３ａ２で折り目に折り処理を施されたシートの束（Ｐ）の折り部を回動自在に支持されて確実に処理をする増し折りローラ４ａと、上記増し折りローラ４ａを回動自在に支持する増し折りローラ支持部材４ｂと、上記増し折りローラ支持部材４ｂを一対の折りローラ３ａで折り目に折り処理を施されたシートの束（Ｐ）の搬送方向と交わる方向に案内して移動する案内移動部材４ｃとからなるから、簡単な装置で確実に十分な折り処理が行われ後に裁断処理したシートの束（Ｐ）における、ページ捲り等の使い勝手が良く、シートの束（Ｐ）の折り部の折れが十分に行われて見栄えも更に良く、その装置もシートの束（Ｐ）の移送距離が短く、耐久性に優れ安全で小型である上記裁断装置０を提供することができるようになった。
上記増し折りローラ４ａは、下ガイド板４ａ１上に搬送されて加圧されるシートの束（Ｐ）と接触する部分に摩擦部材４ａ２を有している。
即ち、増し折りローラ４ａの少なくともシートの束（Ｐ）と接触する外周面に摩擦部材４ａ２を設けたので、シートの束（Ｐ）の厚みが厚い場合に、シートの束（Ｐ）の折り部の上面を増し折りローラ４ａが加圧する時、シートの束（Ｐ）と上記増し折りローラ４ａの接触点が沈んだ状態になって上記増し折りローラ４ａが回転しにくい状態になっても、上記摩擦部材４ａ２によってシートの束（Ｐ）と上記増し折りローラ４ａとの間には回転力に必要な摩擦力が存在するので、上記増し折りローラ４ａがシートの束（Ｐ）の画像面上で滑って画像面をこすることにより生じるシートの束（Ｐ）の面の汚れがなくなった。
上記増し折りローラ支持部材４ｂは、上ガイド板４ｂ１に当接して回動自在に保持されたローラ部材４ｂ２を有して、撓みを防止するようになっている。
更に、上記増し折りローラ支持部材４ｂは、加圧手段４ｂ３の加圧バネ部材４ｂ３１で上記増し折りローラ４ａを上記下ガイド板４ａ１上に搬送されたシートの束（Ｐ）を加圧するようになっているから、上記増し折りローラ４ａは上記増し折りローラ支持部材４ｂと一緒に、上記案内移動部材４ｃの断面形状が角柱形状部からなるガイド部材４ｃ１の図示の矢印（Ｃ）方向のスラスト方向に移動することができ、その間、上記増し折りローラ４ａは上記案内移動部材４ｃの上記ガイド部材４ｃ１によって常に上記下ガイド板４ａ１に向かって加圧され、且つ、簡単な装置で容易に上下方向に移動可能な状態となっている。
上記案内移動部材４ｃの上記ガイド部材４ｃ１の断面形状が円形でなく４角柱形状部になっている。
上記ガイド部材４ｃ１の断面形状が、１つ以上の角のある形状であれば、上記ガイド部材４ｃ１と嵌合している上記増し折りローラ支持部材４ｂの姿勢が斜めになることがないので、上記増し折りローラ支持部材４ｂが上記ガイド部材４ｃ１の円周に沿って回ることのない角部が設けられていればよい。
これにより、上記増し折りローラ支持部材４ｂ、上記増し折りローラ４ａの姿勢が斜めになることを防止でき、シートの束（Ｐ）の折り部上を加圧する力が逃げることなく十分な折り部を形成することができるようになった。
【００１９】
パルスモータ４ｃ２の回転駆動は、プーリ４ｃ３とプーリ４ｃ４に張られているタイミングベルト４ｃ５によって、上記タイミングベルト４ｃ５と嵌合している増し折りローラ支持部材４ｂに伝わり、増し折りローラ支持部材４ｂはガイド部材４ｃ１にガイドされてガイド部材４ｃ１の図示の矢印（Ｃ）方向のスラスト方向に摺動しながら移動する。
又、上記ガイド部材４ｃ１の図示の矢印（Ｃ）方向のスラスト方向には上記増し折りローラ支持部材４ｂの位置を検知する検知手段として位置検知センサ前４ｃ６、及び、位置検知センサ後４ｃ７が存在し、上記増し折りローラ支持部材４ｂが上記位置検知センサ前４ｃ６、及び、上記位置検知センサ後４ｃ７の位置に来たときには検知されるようになっている。
そして、上記増し折り手段４に搬送されてくるシートの束（Ｐ）は、シートの束検知センサ４ｃ８によって検知される。
上記増し折りローラ４ａは、上記位置検知センサ後４ｃ７によりホームポジションが検出される（図４）。
上記増し折りローラ４ａの増し折り動作は、シートの束（Ｐ）が所定位置に搬送され停止した後、上記増し折りローラ４ａを上記位置検知センサ後４ｃ７の位置から上記位置検知センサ前４ｃ６により検知される位置まで移動することで実施される。
図５において、上記増し折りローラ４ａのイニシャル動作は、上記位置検知センサ後４ｃ７の検知状態を判断して（ステップ１１）、上記位置検知センサ後４ｃ７が検知状態であれば終了するが、上記位置検知センサ後４ｃ７が検知状態でなければ、上記増し折りローラ４ａを上記位置検知センサ後４ｃ７の方向に移動して（ステップ１２）、上記位置検知センサ後４ｃ７の検知状態で（ステップ１３）、上記増し折りローラ４ａの移動を停止して（ステップ１４）、終了する。
【００２０】
図６と図７は裁断手段の説明図であり、同図において、上記裁断手段５は、直線形状の固定刃５ａと、上記固定刃５ａに当接しながら回転して水平移動する回転移動丸刃５ｂとからなる。
上記回転移動丸刃５ｂは、回動駆動可能に保持するスライダベース５ｂ１と、上記スライダベース５ｂ１に固定されて上記固定刃５ａに押圧する押圧部材５ｂ２とからなる。
上記スライダベース５ｂ１は、上記固定刃５ａが固定されているステー５ｂ３を回転自在に挟み込む複数個のコロ部材５ｂ４を含む。
上記回転移動丸刃５ｂは、両端が固定されて配回された有端タイミングベルト５ｂ５を介して小型の装置で回転しながら左右に移動するようになっている。
上記固定刃５ａは、上記ステー５ｂ３に固定されており、上記ステー５ｂ３は側板０ａと側板０ｂに固定されており独立したユニットとして成立可能な構成を取っている。
上記側板０ａと上記側板０ｂには、各々ブラケット０ｃとモータブラケット０ｄが固定され、それぞれにはアイドラプーリ５ｂ６、カッタモータ５ｂ７が固定されている。
一方、上記スライダベース５ｂ１は、上記コロ部材５ｂ４が回転自在に上記ステー５ｂ３を挟み込む形で配置され、上記スライダベース５ｂ１は直線的に移動可能となっている。
上記スライダベース５ｂ１には、ベルト歯形とギヤ歯形を持った２段形のアイドラギヤ５ｂ８がある。
又、上記回転移動丸刃５ｂは軸を介して上記スライダベース５ｂ１を挟む形で駆動ギヤ５ｂ９と接続されており上記アイドラギヤ５ｂ８が回転すると上記回転移動丸刃５ｂも回転する構成となる。
上記回転移動丸刃５ｂは、図７に示すように、上記駆動ギヤ５ｂ９側から上記押圧部材５ｂ２で押圧されており、常に適切な押圧力を持ちながら上記固定刃５ａに当接している。
上記有端タイミングベルト５ｂ５は、有端のベルトで両端を固定され、上記カッタモータ５ｂ７のプーリと上記アイドラプーリ５ｂ６、２個のアイドラギヤ５ｂ８に配回されている。
このように配回することで、上記カッタモータ５ｂ７を図示の矢印（Ｄ）方向の時計の回転方向に回転すると、上記スライダベース５ｂ１は、上記回転移動丸刃５ｂが反時計方向に回転しながら図示の矢印（Ｅ）方向に移動することとなる。
このような小型の裁断装置で、上記固定刃５ａと上記回転移動丸刃５ｂの隙間にシートの束（Ｐ）があれば、裁断が可能となる。
又、上記スライダベース５ｂ１のホームポジションは、カッタＨＰセンサ５ｂ１０により検出されるようになっている。
【００２１】
図８のフローチャートにおいて、上記裁断手段５の上記スライダベース５ｂ１のイニシャル動作は、上記カッタＨＰセンサ５ｂ１０の検出状態を判断して（ステップ２１）、上記カッタＨＰセンサ５ｂ１０の検出状態がオン（ＯＮ）ならば終了するが、上記カッタＨＰセンサ５ｂ１０の検出状態がオフ（ＯＦＦ）ならば、上記カッタモータ５ｂ７を反時計方向に回転を開始して（ステップ２２）、上記カッタＨＰセンサ５ｂ１０のオン（ＯＮ）の検知状態で（ステップ２３）、上記カッタモータ５ｂ７の反時計方向の回転を停止して（ステップ２４）、終了する。
図９と図１０は押え手段の構成及び動作説明図であり、同図において、上記押え手段６は、上記増し折り手段４で増し折り処理を施した後に、上記増し折り手段４に対してシートの束（Ｐ）の搬送方向下流側に配置された上記搬送手段８でシートの束（Ｐ）の先端を挟持させた状態で、シートの束（Ｐ）に対して待避して、シートの束（Ｐ）の折り部付近に発生した撓みを開放して、元の位置に戻した後に、上記裁断手段５が裁断処理をするようになっている。
【００２２】
上記押え手段６は、シートの束（Ｐ）を一対の押えローラで押える一対の押えローラ６ａと、上記一対の押えローラ６ａのシートの束（Ｐ）の押えを解除する押え解除手段６ｂとからなる簡単な装置で耐久性に優れて安全である。
上記一対の押えローラ６ａは、図示せぬ駆動源より回動駆動力が伝達される駆動ローラ６ａ１と、上記駆動ローラ６ａ１に従動する従動ローラ６ａ２と、上記駆動ローラ６ａ１と上記従動ローラ６ａ２に加圧力を付与する加圧部材６ａ３とからなり、上記増し折り手段４と上記裁断手段５間におけるシートの束（Ｐ）の搬送を兼用することで、装置が簡単で小型化、低コスト化されている。
上記押え解除手段６ｂは、上記従動ローラ６ａ２を回動自在に保持して支点６ｂ３を中心として回動自在のアーム部材６ｂ１と、上記アーム部材６ｂ１を回動駆動する偏芯カム６ｂ２とからなる。
上記アーム部材６ｂ１に取り付けられたピン６ｂ１１と上記偏芯カム６ｂ２により、上記従動ローラ６ａ２を上記駆動ローラ６ａ１に対して接離可能としている。
上記偏芯カム６ｂ２は一対の押えローラ解除モータ６ｂ４よりタイミングベルト６ｂ５を介して駆動伝達がされている。
上記偏芯カム６ｂ２のホームポジションは解除カムＨＰセンサ６ｂ６により検出され（図９を参照）、この位置より上記一対の押えローラ解除モータ６ｂ４を所定量だけ、図示の矢印（Ｆ）方向の時計方向へ回転することで、上記従動ローラ６ａ２が簡単な装置で解除され、待避が可能となる（図１０を参照）。
従って、簡単な装置で上記増し折り手段４で増し折り処理が完了したシートの束（Ｐ）をそのまま搬送し、上記搬送手段８の一対の搬送ローラで増し折り部を押えながら、上流のシートの束（Ｐ）にかかる圧力を一旦解除することで、シートの束（Ｐ）の折り部付近に発生した撓みを開放して、裁断を行うから、裁断を行った際のズレが低減できるようになった。
図１１のフローチャートにおいて、一対の押えローラ６ａのイニシャル動作は、上記解除カムＨＰセンサ６ｂ６の検出状態を判断して（ステップ３１）、上記解除カムＨＰセンサ６ｂ６の検出状態がオン（ＯＮ）ならば終了するが、上記解除カムＨＰセンサ６ｂ６の検出状態がオフ（ＯＦＦ）ならば、上記一対の押えローラ解除モータ６ｂ４の回転駆動を開始して（ステップ３２）、上記解除カムＨＰセンサ６ｂ６のオン（ＯＮ）の検知状態で（ステップ３３）、上記一対の押えローラ解除モータ６ｂ４の回転駆動を停止して（ステップ３４）、終了する。
【００２３】
図１２において、搬入される被転写体のシート（ｐ）に対して画像形成後の処理をする画像形成の後処理装置１０は、搬入されるトナー画像が形成された被転写体のシート（ｐ）を搬送する後処理搬送路１１の穿孔搬送路１１ａ、上トレイ搬送路１１ｂ、シフトトレイ搬送路１１ｃ、整合綴じ搬送路１１ｄと、上記穿孔搬送路１１ａ、上記上トレイ搬送路１１ｂ、上記シフトトレイ搬送路１１ｃ、上記整合綴じ搬送路１１ｄで搬送されるトナー画像が形成された被転写体のシート（ｐ）に対して、穿孔する穿孔装置１０ａのパンチユニット、中綴じ、又は、端面閉じ等を行う上記中綴じスティプラ７ａ、又は、端面綴じスティプラ７ｂ、折り処理をした後に裁断の処理をする上記請求項１乃至２１の何れか一項に記載の上記裁断装置０と、上トレイ１０ｂ、シフトトレイ１０ｃ、整合綴じ処理トレイ１０ｄ、シート収容部１０ｅ、上記裁断装置０で折り処理をした後に裁断の処理後のトナー画像が形成された被転写体のシートの束（Ｐ）を排出する下トレイ１２等からなり、折り処理をした後に裁断処理したシートの束（Ｐ）におけるページ捲り等の使い勝手が良く、シートの束（Ｐ）の折り部の折れが十分に行われて見栄えも良く、その装置もシートの束（Ｐ）の移送距離が短く、耐久性に優れ安全で小型である。
上記画像形成の後処理装置１０は、図示のように画像形成装置２０の側部に取り付けられており、上記画像形成装置２０の排紙コロ対２１ｏより排出されたトナー画像形成後の被転写体のシート（ｐ）は上記裁断装置０に導かれる。
搬入される被転写体のシート（ｐ）は、穿孔する上記穿孔装置１０ａのパンチユニットを有する上記穿孔搬送路１１ａを通り、上記上トレイ１０ｂへ導く上記上トレイ搬送路１１ｂ、上記シフトトレイ１０ｃへ導く上記シフトトレイ搬送路１１ｃ、整合、及び、上記綴じ処理手段７の上記中綴じスティプラ７ａ、又は、上記端面綴じスティプラ７ｂで中綴じ、又は、端面閉じ等を行う上記整合綴じ処理トレイ１０ｄへ導く整合綴じ搬送路１１ｄへ、分岐爪１３、及び、分岐爪１４によって振り分けられるように構成される。
【００２４】
上記整合閉じ処理トレイ１０ｄで整合、及び、綴じ処理等を施された被転写体のシートの束（Ｐ）は、偏向手段である分岐ガイド板１０ｄ１と可動ガイド１０ｄ２により、上記シフトトレイ１０ｃへ導く上記シフトトレイ搬送路１１ｃ、折り処理をした後に裁断の処理をする上記裁断装置０へ振り分けられるように構成され、上記裁断装置０で折り処理をした後に裁断を施された被転写体のシートの束（Ｐ）は、上記搬送路手段８の一対の搬送ローラを通り上記下トレイ１２へ導かれる。
又、上記整合綴じ搬送路１１ｄ内に分岐爪１１ｄ１が配置されており、図示してない低荷重バネにより図示の状態に保持されており、被転写体のシート（ｐ）の後端がこれを通過した後、搬送ローラ１１ｄ２、搬送ローラ１１ｄ３、スティプル排出ローラ１１ｄ４の内、少なくとも上記搬送ローラ１１ｄ２を逆転することで後端を上記シート収容部１０ｅへ導き滞留させ、次シート（ｐ）と重ね合せて搬送することが可能なように構成されている。この動作を繰返すことで２枚以上の被転写体のシート（ｐ）を重ね合せて搬送する事も可能である。
上記上トレイ１０ｂへ導く上記上トレイ搬送路１１ｂ、上記シフトトレイ１０ｃへ導く上記シフトトレイ搬送路１１ｃ、整合、及び、上記綴じ処理手段７の上記中綴じスティプラ７ａ、又は、上記端面綴じスティプラ７ｂで中綴じ、又は、端面閉じ等を行う上記整合綴じ処理トレイ１０ｄへ導く上記整合綴じ搬送路１１ｄの上流で各々に対し共通な上記穿孔搬送路１１ａは、上記画像形成装置２０から受け入れる被転写体のシート（ｐ）を検出する入口センサ１１ａ１、その下流に入口ローラ１１ａ２、上記穿孔装置１０ａ、搬送ローラ１１ａ３、上記分岐爪１３、上記分岐爪１４を順次配置されている。
上記分岐爪１３、上記分岐爪１４は、図示してないバネにより、図示の状態に保持されており、図示しないソレノイドをオン（ＯＮ）する事により、上記分岐爪１３は上方に、上記分岐爪１４は下方に、各々回動する事で、上記上トレイ搬送路１１ｂ、上記シフトトレイ搬送路１１ｃ、上記整合綴じ搬送路１１ｄへ被転写体のシート（Ｓ）を振り分ける。
上記上トレイ搬送路１１ｂへ被転写体のシート（ｐ）を導く場合は、上記分岐爪１３は図示の状態で図示しないソレノイドはオフ（ＯＦＦ）、上記シフトトレイ搬送路１１ｃへ被転写体のシート（Ｓ）を導く場合は、図示の状態から図示しないソレノイドをオン（ＯＮ）する事により、上記分岐爪１３は上方に、上記分岐爪１４は下方に、回動した状態となり、上記整合綴じ搬送路１１ｄへ被転写体のシート（ｐ）を導く場合は、上記分岐爪１４は図示の状態で図示しないソレノイドはオフ（ＯＦＦ）、上記分岐爪１３は図示の状態から図示しないソレノイドをオン（ＯＮ）する事により、上方に回動した状態となる。
上記裁断装置０を具備する上記画像形成の後処理装置１０が有するシート積載装置１５は、シフト排出ローラ１５ａの駆動ローラ１５ａ１と従動ローラ１５ａ２と、戻しコロ１５ｂと、シート面検知センサ１５ｃと、上記シフトトレイ１０ｃと、昇降機構１５ｄ（図１３乃至図１５を参照）とシフト機構１５ｅ（図１６乃至図１８を参照）等により構成される。
【００２５】
図１３乃至図１５において、上記戻しコロ１５ｂ（図１３と図１４を参照）は、上記シフト排出ローラ１５ａの上記駆動ローラ１５ａ１と上記従動ローラ１５ａ２（図１２を参照）から排出された被転写体のシート（ｐ）と接して、被転写体のシート（ｐ）の後端を図示しないエンドフェンスに突き当てて揃えるようになっているスポンジ製のコロである。
上記戻しコロ１５ｂ（図１３と図１４を参照）は、上記シフト排出ローラ１５ａの上記駆動ローラ１５ａ１と上記従動ローラ１５ａ２（図１２を参照）の回転力で回転するようになっている。
上記戻しコロ１５ｂ（図１３と図１４を参照）の近傍にはシフトトレイ上昇リミットスイッチ１５ｄ１が設けられており、上記シフトトレイ１０ｃが上昇して上記戻しコロ１５ｂ（図１３と図１４を参照）を図示の矢印（Ｇ）方向に押し上げると、上記シフトトレイ上昇リミットスイッチ１５ｄ１がオン（ＯＮ）して、トレイ昇降モータ１５ｄ２が停止する。これにより上記シフトトレイ１０ｃのオーバーランが防止される。
上記戻しコロ１５ｂ（図１３と図１４を参照）の近傍には、図１２に図示するように、上記シフトトレイ１０ｃの被転写体のシート（ｐ）のシート面位置を検知するシート面位置検知手段としての上記シート面検知センサ１５ｃが設けられている（図１５を参照）。
上記シート面検知センサ１５ｃは、シート面検知レバー１５ｃ１と、シート面検知センサ（スティプル用）１５ｃ２とシート面検知センサ（ノンスティプル用）１５ｃ３とで構成されている（図１５を参照）。
【００２６】
図１５に図示する上記紙面検知レバー１５ｃ１は、その軸部１５ｃ１１を中心に回動可能に設けられており上記シフトトレイ１０ｃに積載された被転写体のシート（ｐ）の後端上面に接触する接触部１５ｃ１２と扇形の遮蔽部１５ｃ１３を有している。
上方に位置する上記シート面検知センサ（スティプル用）１５ｃ２は主にスティプル排出制御に用いられ、上記シート面検知センサ（ノンスティプル用）１５ｃ３は主にシフト排出制御に用いられる。
上記遮蔽部１５ｃ１３によって遮られたときに、上記シート面検知センサ（スティプル用）１５ｃ２、及び、上記シート面検知センサ（ノンスティプル用）１５ｃ３はオン（ＯＮ）するようになっている。
従って、上記シフトトレイ１０ｃが上昇して上記シート面検知レバー１５ｃ１の上記接触部１５ｃ１２が図示の矢印（Ｈ）方向の上方向に回動すると、上記シート面検知センサ（スティプル用）１５ｃ２がオフ（ＯＦＦ）し、更に、回動すると上記シート面検知センサ（ノンスティプル用）１５ｃ３がオン（ＯＮ）する。
被転写体のシート（ｐ）の積載量が所定の高さに達したことが上記シート面検知センサ（スティプル用）１５ｃ２、及び、上記シート面検知センサ（ノンスティプル用）１５ｃ３によって検知されると、上記シフトトレイ１０ｃは所定量下降される。これにより、上記シフトトレイ１０ｃの被転写体のシート（ｐ）のシート面位置は略一定に保たれる。
上記シフトトレイ１０ｃの上記昇降機構１５ｄは、図１３に図示するように上記シフトトレイ１０ｃを駆動軸１５ｄ３を駆動ユニットにより駆動される事により昇降する。
上記駆動軸１５ｄ３と従動軸１５ｄ４との間にはタイミングプーリ１５ｄ５を介してタイミングベルト１５ｄ６がテンションをもって掛けられている。
上記タイミングベルト１５ｄ６に上記シフトトレイ１０ｃを支持する基板１５ｄ７が固定されており、かかる構成によって上記シフトトレイ１０ｃを含むユニットが昇降可能に吊り下げられている。
【００２７】
上記シフトトレイ１０ｃを図１３に図示の矢印（Ｉ）方向の上下方向に移動させる駆動源としての正逆転可能な上記トレイ昇降モータ１５ｄ２で発生した動力がウォームギヤ１５ｄ８を介して上記駆動軸１５ｄ３に固定されたギヤ列１５ｄ９の最終ギヤに伝達されるようになっている。
途中、上記ウォームギヤ１５ｄ８を介しているため、上記シフトトレイ１０ｃを一定位置に保持することができ、上記シフトトレイ１０ｃの不意の落下事故等を防止する事ができるようになっている。
上記シフトトレイ１０ｃの上記基板１５ｄ７には、遮蔽板１５ｄ１０が一体に形成されており、下方には積載された被転写体のシート（ｐ）の満載を検出する満杯検知センサ１５ｄ１１と下限位置を検出する下限センサ１５ｄ１２が配置されており、上記遮蔽板１５ｄ１０によって上記満杯検知センサ１５ｄ１１と上記下限センサ１５ｄ１２とがオン（ＯＮ）、オフ（ＯＦＦ）されるようになっている。
上記満杯検知センサ１５ｄ１１と上記下限センサ１５ｄ１２は、フォトセンサであり、上記遮蔽板１５ｄ１０によって遮られたときにオン（ＯＮ）するようになっている。
尚、図１３において、上記シフト排出ローラ１５ａの上記駆動ローラ１５ａ１と上記従動ローラ１５ａ２は省略している。
【００２８】
図１６乃至図１８において、上記シフトトレイ１０ｃの上記シフト機構１５ｅは、図１６に図示するように、シフトモータ１５ｅ１を駆動源にシフトカム１５ｅ２を回転させる。
上記シフトカム１５ｅ２には、回転軸中心から一定量離れた位置にピン１５ｅ３が立っており、上記ピン１５ｅ３と、上記シフトトレイ１０ｃ上の積載された被転写体のシート（ｐ）の後端をガイドし被転写体のシート（ｐ）の排出方向と直交方向に嵌合されているエンドフェンス１５ｅ４の長穴部１５ｅ４１とは嵌合している。
上記シフトカム１５ｅ２の回動により、上記ピン１５ｅ３と嵌合している上記エンドフェンス１５ｅ４は、図示の矢印（Ｊ）方向の被転写体のシート（ｐ）の排出方向と直交方向に移動し、それに伴い上記シフトトレイ１０ｃも図示の矢印（Ｋ）方向に移動する。
上記シフトトレイ１０ｃは手前と奥の２つの位置で停止し、その停止位置はシフトセンサ１５ｅ５により検出され、上記シフトモータ１５ｅ１のオン（ＯＮ）、オフ（ＯＦＦ）により行なわれる。
【００２９】
図１９において、上記シフト排出ローラ１５ａは、上記駆動ローラ１５ａ１と上記従動ローラ１５ａ２を有し、上記従動ローラ１５ａ２は被転写体のシート（ｐ）の排出方向上流側を支持され、図示の矢印（Ｌ）方向の上下方向に回動自在に設けられた排出開閉ガイド板１５ｆの自由端部に回転自在に支持されている。上記従動ローラ１５ａ２は、自重、又は、付勢力により上記駆動ローラ１５ａ１に当接し、被転写体のシート（ｐ）は両上記駆動ローラ１５ａ１と上記従動ローラ１５ａ２間に挟持されて排出される。
綴じ処理された被転写体のシートの束（Ｐ）が排出される時は、上記排出開閉ガイド板１５ｆが上方に回動され、所定のタイミングで戻されるようになっており、このタイミングはシフト排出センサ１５ａ３の検知信号に基づいて決定さる。
その停止位置は、排紙開閉ガイド板センサ１５ｆ１の検知信号に基づいて決定され、排出開閉ガイド板モータ１５ｆ２により駆動されるようになっている。
【００３０】
図２０乃至図２６において、上記綴じ処理手段７の上記中綴じスティプラ７ａと上記端面綴じスティプラ７ｂで中綴じ、及び、端面閉じの処理を行なう上記整合綴じ処理トレイ１０ｄにおいては、上記スティプル排出ローラ１１ｄ４により導かれた被転写体のシート（ｐ）は、順次積載される（図２０と図２１を参照）。
この場合、被転写体のシート（ｐ）ごとに、叩きコロ１１ｄ５で、シート（ｐ）の搬送方向である図示の矢印（Ｍ）方向の縦方向の整合が行われる。
ジョガーフェンス１１ｄ６で、シート（ｐ）の搬送方向と直交する幅方向である図示の矢印（Ｎ）方向の横方向の整合が行われる。
ジョブの切れ目、すなわち、被転写体のシートの束（Ｐ）の最終シート（ｐ）から次の被転写体のシートの束（Ｐ）の先頭シート（ｐ）までの間で、制御手段１６からの綴じ信号により上記端面綴じスティプラ７ｂが駆動され、綴じ処理が行われる。
綴じ処理が行われた被転写体のシートの束（Ｐ）は、ただちに、放出爪１１ｄ７を有する放出ベルト１１ｄ８により、上記シフト排出ローラ１５ａの上記駆動ローラ１５ａ１と上記従動ローラ１５ａ２へ送られ、受取り位置にセットされている上記シフトトレイ１０ｃに排出される（図２２と図２３を参照）。
上記放出爪１１ｄ７は、図２３に図示するように、放出ベルトＨＰセンサ１１ｄ９によりそのホームポジションを検知されるようになっており、上記放出ベルトＨＰセンサ１１ｄ９は上記放出ベルト１１ｄ８に設けられた上記放出爪１１ｄ７によりオン（ＯＮ）、オフ（ＯＦＦ）する。
上記放出ベルト１１ｄ８の外周上には、対向する位置に２つの上記放出爪１１ｄ７が配置されており、上記整合綴じ処理トレイ１０ｄに収容された被転写体のシートの束（Ｐ）の束を交互に移動搬送する。
又、必要に応じて上記放出ベルト１１ｄ８を逆回転し、これから被転写体のシートの束（Ｐ）を移動するように待機している上記放出爪１１ｄ７と対向側の上記放出爪１１ｄ７′の背面で、上記整合綴じ処理トレイ１０ｄに収容された被転写体のシートの束（Ｐ）の搬送方向先端を揃えても良い。
【００３１】
放出モータ１１ｄ１０により駆動される上記放出ベルト１１ｄ８の駆動軸１１ｄ１１には、シート（ｐ）の幅方向整合中心に上記放出ベルト１１ｄ８とその駆動プーリ１１ｄ１２とが配置され、それに対して対称に放出ローラ１１ｄ１３が配置固定されており、上記放出ローラ１１ｄ１３の周速は上記放出ベルト１１ｄ８の周速より速くなるように設定されている（図２４を参照）。
上記叩きコロ１１ｄ５は、図２０と図２１に図示するように、叩きコロモータ１１ｄ５３により反時計回りに回転して、支点１１ｄ５１を中心に叩きソレノイド（ＳＯＬ）１１ｄ５２によって振り子運動を与えられ、上記整合綴じ処理トレイ１０ｄへ送り込まれたシート（ｐ）に間欠的に作用してシート（ｐ）を後端フェンス１０ｄ３に突き当てる。
上記ジョガーフェンス１１ｄ６は、正逆転可能なジョガーモータ１１ｄ６１によりタイミングベルト１１ｄ６２を介して駆動され、シート（ｐ）の幅方向に往復移動する（図２０を参照）。
上記綴じ処理手段７の上記中綴じスティプラ７ａは、図１２と図２４に図示するように、上記後端フェンス１０ｄ３から上記中綴じスティプラ７ａの針打ち位置までの距離が、中綴じ可能な最大シート（ｐ）サイズの搬送方向長の半分に相当する距離以上となるように配置され、且つ、シート（ｐ）の幅方向整合中心に対して対称に２つ配置されステー１１ｄ１４に固定されている。
上記綴じ処理手段７の上記端面綴じスティプラ７ｂは、図２５に図示するように、正逆転可能なスティプラ移動モータ１１ｄ１５によりタイミングベルト１１ｄ１６を介して駆動され、シート（ｐ）の端部の所定位置を綴じるためにシート（ｐ）の幅方向に移動する。
その移動範囲の一側端には、上記綴じ処理手段７の上記端面綴じスティプラ７ｂのホームポジションを検出するスティプラ移動ＨＰセンサ１１ｄ１７が設けられており、シート（ｐ）の幅方向の綴じ位置は、前記ホームポジションからの端面綴じスティプラ７ｂの移動量により制御される。
又、端面綴じスティプラ７ｂは、図２６に図示するように、斜めモータ１１ｄ２１により、斜め方向に回動するようになっている。
【００３２】
図２７乃至図２９において、被転写体のシートの束（Ｐ）の偏向手段としての分岐ガイド板１０ｄ１は、支点１０ｄ１１を中心に図示の矢印（Ｏ）の上下方向に回動自在に設けられ、その下流側に回転自在な加圧コロ１０ｄ１２を有しており、スプリング１０ｄ１３により上記放出ローラ１１ｄ１３に加圧される。
又、上記分岐ガイド板１０ｄ１の位置は、束分岐駆動モータ１０ｄ１４より駆動を得て回転するカム１０ｄ１５のカム面１０ｄ１５１と当接することにより決められる。
被転写体のシートの束（Ｐ）の偏向手段としての上記可動ガイド１０ｄ２は、上記放出ローラ１１ｄ１３の回転軸１１ｄ１３１に回動自在に支持され、上記可動ガイド１０ｄ２には回動自在に連結されたリンクアーム１０ｄ２１が設けられている。
上記リンクアーム１０ｄ２１は、図２４に図示する側板１０ｆに固定された軸１０ｄ２２と長穴部１０ｄ２３で嵌合されており、これにより上記可動ガイド１０ｄ２の回動範囲は規制される。
又、スプリング１０ｄ２４により下方に付勢されることで、図２７の位置に保持される。
更に、上記束分岐駆動モータ１０ｄ１４より駆動を得て回転する上記カム１０ｄ１５の上記カム面１０ｄ１５１により、上記リンクアーム１０ｄ２１が押されると連結されている上記可動ガイド１０ｄ２は上方へ回動する。
上記カム１０ｄ１５は束分岐ガイドＨＰセンサ１０ｄ２５をその遮蔽部１０ｄ２６により検知させることで、そのホームポジションを得て、上記束分岐駆動モータ１０ｄ１４の駆動パルスによりその停止位置を制御する。
図２７は、上記カム１０ｄ１５がホームポジションにある時の上記分岐ガイド板１０ｄ１と上記可動ガイド１０ｄ２の位置関係を示す。
上記可動ガイド１０ｄ２のガイド面１０ｄ２７は上記シフト排出ローラ１５ａの上記駆動ローラ１５ａ１と上記従動ローラ１５ａ２への経路において、シート（ｐ）をガイドする機能を有している。
図２８は、上記カム１０ｄ１５が回転することにより、上記分岐ガイド板１０ｄ１が下方へ回動し、上記加圧コロ１０ｄ１２が上記放出ローラ１１ｄ１３に加圧していることを示す。
図２９は、上記カム１０ｄ１５が、更に、回転することにより、上記可動ガイド１０ｄ２が上方に回動し、上記整合綴じ処理トレイ１０ｄから上記裁断装置０に導く経路を、上記分岐ガイド板１０ｄ１と上記可動ガイド１０ｄ２とで形成することを示す。
又、図２４には、奥行き方向の位置関係を示す。上記画像形成の後処理装置１０では、上記分岐ガイド板１０ｄ１と上記可動ガイド１０ｄ２は１つの駆動モータにより動作するが、個々に駆動モータを設けて、シート（ｐ）サイズや綴じ枚数に応じて、移動タイミングや停止位置を制御可能に構成しても良い。
【００３３】
図３０と図３１において、上記裁断装置０における上記折りプレート２は、装置本体の前後の上記側板０ａと上記側板０ｂに立てられた各２本の軸２ａに長穴部２ｂが嵌合することで支持され、その軸部２ｃとリンクアーム２ｄの長穴部２ｅは嵌合されており、上記リンクアーム２ｄが支点２ｆを中心に揺動することで、上記折りプレート２は、図示の矢印（Ｑ）方向の左右に往復移動する。
上記リンクアーム２ｄの長穴部２ｇと折りプレート駆動カム２ｈの軸部２ｉは嵌合されており、上記折りプレート駆動カム２ｈの回転運動により上記リンクアーム２ｄは揺動する。
上記折りプレート駆動カム２ｈは、折りプレート駆動モータ２ｊにより図示の矢印（Ｒ）方向に回転する。
その停止位置は、半月形状の遮蔽部２ｈ１の両端部を折りプレートＨＰセンサ２ｋにより検知することで決定される。
図３０には、上記折り処理搬送路１の被転写体のシートの束（Ｐ）の収容領域から完全に退避したホームポジション位置を示す。
上記折りプレート駆動カム２ｈを図示の矢印（Ｒ）方向に回転させると、上記折りプレート２は、図示の矢印（Ｓ）方向に移動し、上記折り処理搬送路１の被転写体のシートの束（Ｐ）の収容領域に突出する。
図３１には、上記折り処理搬送路１の被転写体のシートの束の（Ｐ）の中央を、上記折り手段３の上記一対の折りローラ３の上記折りローラ上３ａ１と上記折りローラ下３ａ２で形成されるニップ部（ｎ）に押し込む位置を示す。
上記折りプレート駆動カム２ｈを図示の矢印（Ｒ）方向に更に回転させると、上記折りプレート２は、図示の矢印（Ｔ）方向に移動し、上記折り処理搬送路１の被転写体のシートの束（Ｓ）の収容領域から退避する。
上記画像形成の後処理装置１０は、図１２に図示するように、（１）上記穿孔搬送路１１ａから上記上トレイ搬送路１１ｂを通り上記上トレイ１０ｂへ排出されるノンスティプルモード（ａ）と、（２）上記穿孔搬送路１１ａから上記シフトトレイ搬送路１１ｃを通り上記シフトトレイ１０ｃへ排出されるノンスティプルモード（ｂ）、（３）上記穿孔搬送路１１ａから上記シフトトレイ搬送路１１ｃを通り上記シフトトレイ１０ｃへ排出されるが、その際、上記シフトトレイ１０ｃが、部の区切れ毎に排出方向と直交方向に揺動する事で排出されるシート（ｐ）は仕分けられるソート、スタックモードと、（４）上記穿孔搬送路１１ａから上記整合綴じ搬送路１１ｄを経て上記整合綴じ処理トレイ１０ｄで整合、及び、綴じを施され上記シフトトレイ搬送路１１ｃを通り上記シフトトレイ１０ｃへ排出されるスティプルモードと、（５）上記穿孔搬送路１１ａから上記整合綴じ搬送路１１ｄを経て上記整合綴じ処理トレイ１０ｄで整合、及び、中綴じを施され、更に、上記折り処理搬送路１で中央折りを施され、上記増し折り手段４で増し折りが施され、上記裁断手段５で裁断処理が施されて上記下トレイ１２ｂへ排出される中綴じ製本モードの各後処理モードに応じて排出形態をとるようになっている。
【００３４】
（１）ノンスティプルモード（ａ）の動作は、上記穿孔搬送路１１ａから上記分岐爪１３で振り分けられたシート（ｐ）は、上記上トレイ搬送路１１ｂに導かれ搬送ローラ１１ｂ１と上排出ローラ１１ｂ２によって上記上トレイ１０ｂへ排出される。
又、上記上排出ローラ１１ｂ２の近傍に配置されシート（ｐ）の排出を検出する上排出センサ１１ｂ３によって排出の状態を監視する。
（２）ノンスティプルモード（ｂ）の動作は、上記穿孔搬送路１１ａから上記分岐爪１３と上記分岐爪１４で振り分けられたシート（ｐ）は、上記シフトトレイ搬送路１１ｃに導かれ、搬送ローラ１１ｃ１と上記シフト排出ローラ１５ａの上記駆動ローラ１５ａ１と上記従動ローラ１５ａ２によって上記シフトトレイ１０ｃへ排出される。
又、上記シフト排出ローラ１５ａの上記駆動ローラ１５ａ１と上記従動ローラ１５ａ２の近傍に配置されシート（ｐ）の排出を検出する上記シフト排出センサ１５ａ３によって排出の状態を監視する。
（３）ソート、スタックモードの動作は、（２）ノンスティプルモード（ｂ）時と同様の搬送排出を行う。
その際、上記シフトトレイ１０ｃが、部の区切れ毎に排出方向と直交方向に揺動する事で排出されるシート（ｐ）は仕分けられる。
【００３５】
（４）スティプルモードの動作は、上記穿孔搬送路１１ａから上記分岐爪１３と上記分岐爪１４で振り分けられたシート（ｐ）は、上記整合綴じ搬送路１１ｄに導かれ、搬送ローラ１１ｄ１８、上記搬送ローラ１１ｄ２、上記搬送ローラ１１ｄ３、上記スティプル排出ローラ１１ｄ４により上記整合綴じ処理トレイ１０ｄに排出される。
上記整合綴じ処理トレイ１０ｄでは、上記スティプル排出ローラ１１ｄ４により順次排出されるシート（ｐ）を整合し所定枚数に達すると、上記綴じ処理手段７の上記端面綴じスティプラ７ｂにより綴じ処理を行う。
その後、綴じられた被転写体のシートの束（Ｐ）は上記放出爪１１ｄ７により下流へ搬送され、上記シフト排出ローラ１５ａの上記駆動ローラ１５ａ１と上記従動ローラ１５ａ２によって上記シフトトレイ１０ｃへ排出される。
又、上記シフト排出ローラ１５ａの上記駆動ローラ１５ａ１と上記従動ローラ１５ａ２の近傍に配置され被転写体のシートの束（Ｐ）の排出を検出する上記シフト排出センサ１５ａ３によって排出の状態を監視する。
スティプルモード時の上記整合綴じ処理トレイ１０ｄにおける動作は、スティプルモードが選択されると、図２０と図２１に図示するように、上記ジョガーフェンス１１ｄ６はホームポジションより移動し、上記整合綴じ処理トレイ１０ｄに排出されるシート（ｐ）の幅より片側７ｍｍ離れた待機位置で待機する。
シート（ｐ）が上記スティプル排出ローラ１１ｄ４によって搬送され、シート（ｐ）後端がスティプル排出センサ１１ｄ１９を通過すると、上記ジョガーフェンス１１ｄ６が待機位置から５ｍｍ内側に移動して停止する。
又、上記スティプル排出センサ１１ｄ１９は、シート（ｐ）の後端通過時点にそれを検知し、その信号が上記制御手段１６のＣＰＵ１６ａに入力される。
【００３６】
上記制御手段１６の上記ＣＰＵ１６ａでは、この信号の受信時点から上記スティプル排出ローラ１１ｄ４を駆動するスティプル搬送モータ１１ｄ４１からの発信パルス数をカウントし、所定パルス発信後に上記叩きソレノイド（ＳＯＬ）１１５２をオン（ＯＮ）させる。
上記叩きコロ１１ｄ５は、上記叩きソレノイド（ＳＯＬ）１１５２のオン（ＯＮ）、オフ（ＯＦＦ）により振り子運動をするようになっている。
上記叩きソレノイド（ＳＯＬ）１１５２のオン（ＯＮ）時には、上記叩きコロ１１ｄ５はシート（ｐ）を叩いて下方向に戻し、上記後端フェンス１０ｄ３に突き当ててシート（ｐ）揃えを行う。
このとき、上記整合綴じ処理トレイ１０ｄに収容されるシート（ｐ）が上記入口センサ１１ａ１、又は、上記スティプル排出センサ１１ｄ１９を通過するたびにその信号が上記制御手段１６の上記ＣＰＵ１６ａに入力され、シート（ｐ）の枚数がカウントされる。
上記叩きソレノイド（ＳＯＬ）１１ｄ５２が、オフ（ＯＦＦ）されて所定時間経過後、上記ジョガーフェンス１１ｄ６は、上記ジョガーモータ１１ｄ６１によって、更に、２．６ｍｍ内側に移動して一旦停止し、横揃えが終了する。
上記ジョガーフェンス１１ｄ６は、その後７．６ｍｍ外側に移動して待機位置に戻り、次のシート（ｐ）を待つ。この動作を最終頁まで行う。
その後、再び、７ｍｍ内側に移動して停止し、被転写体のシートの束（Ｐ）の両側端を押えてスティプル動作に備える。
その後、所定時間後に、図示しないスティプルモータにより上記綴じ処理手段７の上記端面綴じスティプラ７ｂが作動し、綴じ処理が行われる。
この時、２ヶ所以上の綴じが指定されていれば、１ヶ所の綴じ処理が終了した後、上記スティプル移動モータ１１ｄ１５が駆動され（図２５を参照）、上記端面綴じスティプラ７ｂがシート（ｐ）の後端に沿って適正位置まで移動され、２ヶ所目の綴じ処理が行なわれる。又、３ヶ所目以降が指定されている場合は、これを繰返す。
【００３７】
綴じ処理が終了すると、上記放出モータ１１ｄ１０が駆動され、上記放出ベルト１１ｄ８が駆動される（図２２を参照）。
この時、上記放出モータ１１ｄ１０も駆動され、上記放出爪１１ｄ７により持ち上げられた被転写体のシートの束（Ｐ）を受け入れるべく上記シフト排出ローラ１５ａの上記駆動ローラ１５ａ１と上記従動ローラ１５ａ２が回転し始める。この時、上記ジョガーフェンス１１ｄ６は、シート（ｐ）のサイズ、及び、綴じ枚数により異なるように制御される。
例えば、綴じ枚数が設定枚数より少ない、又は、設定サイズより小さい場合には、上記ジョガーフェンス１１ｄ６により、被転写体のシートの束（Ｐ）を押えながら上記放出爪１１ｄ７により被転写体のシートの束（Ｐ）の後端を引っかけ搬送する。
そして、シート有無センサ１１ｄ２０（図１２と図２１を参照）、又は、上記放出ベルトＨＰセンサ１１ｄ９（図１２を参照）による検知より所定パルス後に、上記ジョガーフェンス１１ｄ６を２ｍｍ退避させ、上記ジョガーフェンス１１ｄ６によるシート（ｐ）への拘束を解除する。
この所定パルスは、上記放出爪１１ｄ７がシート（ｐ）の後端と接触してから、上記ジョガーフェンス１１ｄ６の先端を抜ける間で設定されている。
又、綴じ枚数が設定枚数より多い、あるいは設定サイズより大きい場合には、予め上記ジョガーフェンス１１ｄ６を２ｍｍ退避させ、放出を行う。
いずれの場合も、被転写体のシートの束（Ｐ）が上記ジョガーフェンス１１ｄ６を抜けきると、上記ジョガーフェンス１１ｄ６は、更に、５ｍｍ外側に移動して待機位置に復帰し、次のシート（ｐ）に備える。
尚、シート（ｐ）に対する上記ジョガーフェンス１１ｄ６の距離により拘束力を調整することも可能である。
（５）中綴じ製本モードの動作は、上記穿孔搬送路１１ａから上記分岐爪１３と上記分岐爪１４で振り分けられたシート（ｐ）は、上記整合綴じ搬送路１１ｄに導かれ、上記搬送ローラ１１ｄ１８、上記搬送ローラ１１ｄ２、上記搬送ローラ１１ｄ３、上記スティプル排出ローラ１１ｄ４により上記整合綴じ処理トレイ１０ｄに排出される。
【００３８】
図３２乃至図４３において、上記整合綴じ処理トレイ１０ｄでは、（４）スティプルモード時と同様に、上記スティプル排出ローラ１１ｄ４により順次排出されるシート（ｐ）を整合し、綴じる直前までは同様の動作をする（図３２と図３３を参照）。
その後、被転写体のシートの束（Ｐ）は上記放出爪１１ｄ７によりシート（ｐ）のサイズ毎に設定された所定距離だけ下流へ運ばれ、その中央を上記中綴じスティプラ７ａにより中綴じ処理される（図３４を参照）。
図３５の位置に、中綴じ処理された被転写体のシートの束（Ｐ）は上記放出爪１１ｄ７により下流へシート（ｐ）のサイズ毎に設定された所定距離だけ搬送され一旦停止する。この搬送距離は上記放出モータ１１ｄ１０の駆動パルスにより管理される（図２２と図２４を参照）。
その後、被転写体のシートの束（Ｐ）の先端部は上記放出ローラ１１ｄ１３と上記加圧コロ１０ｄ１２により挟持され、図示の矢印（Ｕ）方向に回動する上記分岐ガイド板１０ｄ１と図示の矢印（Ｖ）方向に回動する上記可動ガイド１０ｄ２とで形成され上記裁断装置０の上記折り処理搬送路１へ導かれる経路を通過するべく、再度、上記放出爪１１ｄ７と上記放出ローラ１１ｄ１３により下流へ搬送される。
上記放出ローラ１１ｄ１３は、上記放出ベルト１１ｄ８の上記駆動軸１１ｄ１１に設けられており、上記放出ベルト１１ｄ８と同期して駆動される（図３５を参照）。
そして、その被転写体のシートの束（Ｐ）は、上記裁断装置０の上記折り処理搬送路１の搬送ローラ上１ａと搬送ローラ下１ｂにより、予めそのシート（ｐ）のサイズに応じた位置にホームポジションから移動して、下側の端面をガイドするべく停止している可動後端フェンス１ｃまで搬送される。
この時、上記放出爪１１ｄ７は、上記放出ベルト１１ｄ８の外周上に対向する位置に配置されたもう１つの上記放出爪１１ｄ７′が上記後端フェンス１０ｄ３の近傍に達した位置で停止し、上記分岐ガイド板１０ｄ１と上記可動ガイド１０ｄ２はホームポジションへ復帰し、次のシート（ｐ）に備える（図３６を参照）。
【００３９】
上記裁断装置０の上記折り処理搬送路１の上記可動後端フェンス１ｃに突き当てられた被転写体のシートの束（Ｐ）は、上記搬送ローラ下１ｂの加圧を解除される（図３７を参照）。
その後、シート（ｐ）の束の中綴じ処理された針部近傍は、略直角方向に、上記折りプレート２により押され、折りローラ上３ａ１と折りローラ下３ａ２で形成されるニップ部（ｎ）へと導かれる。
予め回転していた折りローラ上３ａ１と折りローラ下３ａ２は、その被転写体のシートの束（Ｐ）を加圧搬送することで、被転写体のシート束（Ｐ）の中央に折りを施す（図３８を参照）。
その後、被転写体のシート束（Ｐ）は、上記増し折り手段４まで搬送されて一旦停止する。この停止位置は上記増し折り手段４に搭載された上記シートの束検知センサ４ｃ８からのパルス制御で決定される。こうして被転写体のシート束（Ｐ）先端が上記増し折り手段４の所定位置に停止されると、図３９に図示するように、上記増し折りローラ４ａが駆動され、折りが強化される。
上記増し折りローラ４ａは、上記位置検知センサ後４ｃ７によりホームポジションが検出される（図４を参照）。
増し折り動作は被転写体のシート束（Ｐ）が所定位置に搬送され停止した後、上記増し折りローラ４ａを上記位置検知センサ後４ｃ７の位置から上記位置検知センサ前４ｃ６の位置に移動することで実施される（図２を参照）。
増し折り動作が完了して裁断処理が選択されていない場合には、一対の押えローラ６ａ、及び、一対の搬送ローラ８により上記下トレイ１２へ排出される。
このとき、被転写体のシート束（Ｐ）の後端が折り部通過センサ３ｂに検知されると、上記折りプレート２、上記可動後端フェンス１ｃはホームポジションに復帰し、上記搬送ローラ下１ｂの加圧は復帰される。
又、下排出センサ８ａの状態をみて被転写体のシート束（Ｐ）が上記増し折り手段４外に移動したことが検出されると、上記増し折りローラ４ａは上記位置検知センサ後４ｃ７の位置に移動される。こうして次の被転写体のシート束（Ｐ）に備える。次のジョブが同被転写体のシート束（Ｐ）サイズ同枚数であれば、上記可動後端フェンス１ｃはその位置で待機しても良い。
【００４０】
増し折り動作が完了し裁断処理が選択されている場合には、図４０に図示するように、まず、上記押え手段６の上記一対の押えローラ６ａにより被転写体のシート束（Ｐ）を搬送し、被転写体のシート束（Ｐ）の折り目が上記搬送手段８の一対の搬送ローラのニップ部を若干とおり過ぎた位置で停止する。
この位置は、上記下排出センサ８ａの検知信号よりパルス制御で決定される。次に、図４１に図示するように、一旦、従動ローラ６ａ２を解除して、被転写体のシート束（Ｐ）の余分な撓みを開放し、所定時間経過後、図４２に図示するように従動ローラ６ａ２を再加圧する。
次に、被転写体のシート束（Ｐ）を上記裁断手段５の裁断位置まで移送して、上記スライダベース５ｂ１を駆動して、被転写体のシート束（Ｐ）の端部の裁断が行われる（図４３を参照）。
上記裁断手段５で裁断が完了すると、被転写体のシート束（Ｐ）は、上記押え手段６の上記一対の押えローラ６ａ、及び、上記搬送手段８の一対の搬送ローラにより上記下トレイ１２へ排出される。
このとき、被転写体のシート束（Ｐ）の後端が上記折り部通過センサ３ｂに検知されると、上記折りプレート２、上記可動後端フェンス１ｃはホームポジションに復帰し、上記搬送ローラ下１ｂの加圧は復帰される。
又、下排出センサ８ａの状態をみて被転写体のシート束（Ｐ）が上記増し折り手段４外に移動したことが検出されると、上記増し折りローラ４ａは上記位置検知センサ後４ｃ７の位置に移動され、上記裁断手段５の上記スライダベース５ｂ１もホームポジションに復帰される。
こうして、次の被転写体のシート束（Ｐ）に備える。次のジョブが同被転写体のシート束（Ｐ）サイズ同枚数であれば、上記可動後端フェンス１ｃはその位置で待機しても良い。
又、被転写体のシート束（Ｐ）の折り部の撓みを開放する際に、上記搬送手段８の一対の搬送ローラ排で折り部近傍を押えることとしたが、上記増し折り手段４の上記増し折りローラ４ａで押えても良い。
【００４１】
図４４は本発明に係る装置の制御系を示す図であり、同図において、上記制御手段１６は、上記ＣＰＵ１６ａ、Ｉ／Ｏインターフェース１６ｂ等を有するマイクロコンピュータであり、上記画像形成装置２０の操作部２１ｑの各スイッチ等、及び、上記シート面検知センサ１５ｃ等の各センサ（ＳＷ）からの信号が上記Ｉ／Ｏインターフェース１６ｂを介して上記ＣＰＵ１６ａへ入力される。
上記ＣＰＵ１６ａは、入力された信号に基づいて、上記シフトトレイ１０ｃ用の上記トレイ昇降モータ１５ｄ２、上記排出開閉ガイド板１５ｆを開閉する排出開閉ガイド板開閉モータ１５ｆ２、上記シフトトレイ１０ｃを移動する上記シフトモータ１５ｅ１、上記叩きコロ１１ｄ５を駆動する叩きコロモータ１１ｄ５３、上記叩きソレノイド（ＳＯＬ）１１ｄ５２等の各ソレノイド、各搬送ローラを駆動する搬送モータ、各排出ローラを駆動する排紙モータ、上記放出ベルト１１ｄ８を駆動する上記放出モータ１１ｄ１０、上記端面綴じスティプラ７ｂを移動する上記スティプラ移動モータ１１ｄ１５、上記端面綴じスティプラ７ｂを斜めに回転する上記斜めモータ１１ｄ２１、上記ジョガーフェンス１１ｄ６を移動する上記ジョガーモータ１１ｄ６１、上記分岐ガイド板１０ｄ１、及び、上記可動ガイド１０ｄ２を回動する上記束分岐駆動モータ１０ｄ１４、上記可動後端フェンス１ｃを移動する図示しない後端フェンス移動モータ、上記折りプレート２を移動する上記折りプレート駆動モータ２ｊ、一対の折りローラ３ａの上記折りローラ上３ａ１と上記折りローラ３ａ２を駆動する図示しない一対の折りローラ駆動モータ等の駆動を制御する。
上記スティプル排出ローラ１１ｄ４を駆動するスティプル搬送モータ１１ｄ４１のパルス信号は上記ＣＰＵ１６ａに入力されてカウントされ、このカウントに応じて上記叩きソレノイド（ＳＯＬ）１１ｄ５２、及び、上記ジョガーモータ１１ｄ６１が制御される。
【００４２】
図４５のフローチャートにおいて、上記裁断装置０を具備する上記画像形成の後処理装置１０における、上述のノンスティプルモード（ａ）の動作は、上記制御手段１６によって、次のように実行される（図１２を参照）。
シート（ｐ）が上記画像形成装置２０側から搬入される状態になると、スタートして、上記穿孔搬送路１１ａの上記入口ローラ１１ａ２と上記搬送ローラ１１ａ３、上記上トレイ搬送路１１ｂの上記搬送ローラ１１ｂ１と上記上排出ローラ１１ｂ２がそれぞれ回動を開始する（ステップ１０１）。そして、上記入口センサ１１ａ１のオン（ＯＮ）を判断して（ステップ１０２）、上記入口センサ１１ａ１のオフ（ＯＦＦ）を判断して（ステップ１０３）、上記上排出センサ１１ｂ３のオン（ＯＮ）を判断して（ステップ１０４）、上記上排出センサ１１ｂ３のオフ（ＯＦＦ）を判断して（ステップ１０５）、シート（ｐ）の通過を確認して、最終のシート（ｐ）が通過して（ステップ１０６）、所定時間が経過すると上記穿孔搬送路１１ａの上記入口ローラ１１ａ２と上記搬送ローラ１１ａ３、上記上トレイ搬送路１１ｂの上記搬送ローラ１１ｂ１と上記上排出ローラ１１ｂ２の回動を停止させて（ステップ１０７）、エンドで終了する。
これにより、上記画像形成装置２０側から搬入されて来たシート（ｐ）を全て上記上トレイ１０ｂに綴じることなく排出して積載する。
尚、図示のように、上記穿孔装置１０ａが、上記入口ローラ１１ａ２と上記搬送ローラ１１ａ３の間に配置されているので、この間に、上記穿孔装置１０ａによって、穴あけをすることもできるようになっている。
【００４３】
図４６において、上記裁断装置０を具備する上記画像形成の後処理装置１０における、上述のノンスティプルモード（ｂ）の動作は、上記制御手段１６によって、次のように実行される（図１２を参照）。
シート（ｐ）が上記画像形成装置２０側から搬入される状態になると、スタートして、上記穿孔搬送路１１ａの上記入口ローラ１１ａ２と上記搬送ローラ１１ａ３、上記シフトトレイ搬送路１１ｃの上記搬送ローラ１１ｃ１と上記シフト排出ローラ１５ａがそれぞれ回動を開始する（ステップ２０１）、そして、上記分岐爪１３と上記分岐爪１４を駆動するソレノイドをオン（ＯＮ）して、上記分岐爪１３を反時計方向に、上記分岐爪１４を時計方向にそれぞれ回動させる（ステップ２０２）。そして、上記入口センサ１１ａ１のオン（ＯＮ）を判断して（ステップ２０３）、上記入口センサ１１ａ１のオフ（ＯＦＦ）を判断して（ステップ２０４）、上記シフト排出センサ１５ａ３のオン（ＯＮ）を判断して（ステップ２０５）、上記シフト排出センサ１５ａ３のオフ（ＯＦＦ）を判断して（ステップ２０６）、搬入されて来たシート（ｐ）の通過を確認して、最終のシート（ｐ）が通過して（ステップ２０７）、所定時間が経過すると上記穿孔搬送路１１ａの上記入口ローラ１１ａ２と上記搬送ローラ１１ａ３、上記シフトトレイ搬送路１１ｃの上記搬送ローラ１１ｃ１と上記シフト排出ローラ１５ａの回動を停止させて（ステップ２０８）、上記分岐爪１３と上記分岐爪１４を駆動するソレノイドをオフ（ＯＦＦ）して（ステップ２０９）、エンドで終了する。
これにより、上記画像形成装置２０側から搬入されて来たシート（ｐ）を全て上記シフトトレイ１０ｃに綴じることなく排出して積載する。
尚、図示のように、上記穿孔装置１０ａが、上記入口ローラ１１ａ２と上記搬送ローラ１１ａ３の間に配置されているので、この間に、上記穿孔装置１０ａによって、穴あけをすることもできる。
【００４４】
図４７において、上記裁断装置０を具備する上記画像形成の後処理装置１０における、上述のソート、スタックモードの動作は、上記制御手段１６によって、次のように実行される（図１２を参照）。
シート（ｐ）が上記画像形成装置２０側から搬入される状態になると、スタートして、上記穿孔搬送路１１ａの上記入口ローラ１１ａ２と上記搬送ローラ１１ａ３、上記シフトトレイ搬送路１１ｃの上記搬送ローラ１１ｃ１と上記シフト排出ローラ１５ａがそれぞれ回動を開始する（ステップ３０１）、そして、上記分岐爪１３と上記分岐爪１４を駆動するソレノイドをオン（ＯＮ）して、上記分岐爪１３を反時計方向に、上記分岐爪１４を時計方向にそれぞれ回動させて（ステップ３０２）、そして、上記入口センサ１１ａ１のオン（ＯＮ）を判断して（ステップ３０３）、上記入口センサ１１ａ１のオフ（ＯＦＦ）を判断して（ステップ３０４）、上記シフト排出センサ１５ａ３のオン（ＯＮ）を判断して（ステップ３０５）、上記シフト排出センサ１５ａ３を通過したシート（ｐ）が部の先頭のシート（ｐ）であるかを判断して（ステップ３０６）、シート（ｐ）が部の先頭のシート（ｐ）でなければ、すでに上記シフトトレイ１０ｃは移動しているので、そのまま排出して（ステップ３１０）へ、シート（ｐ）が部の先頭のシート（ｐ）であれば上記シフトモータ１５ｅ１をオン（ＯＮ）して（ステップ３０７）、上記シフトセンサ１５ｅ５が上記シフトトレイ１０ｃを検出してオン（ＯＮ）するまで上記シフトトレイ１０ｃをシート（ｐ）の搬送方向と直交する方向に移動させて（ステップ３０８）、上記シフトセンサ１５ｅ５が上記シフトトレイ１０ｃの検出により上記シフトモータ１５ｅ１をオフ（ＯＦＦ）して（ステップ３０９）、そして、シート（ｐ）を上記シフトトレイ１０ｃに排出し、上記シフト排出センサ１５ａ３のオフ（ＯＦＦ）を判断して（ステップ３１０）、そのシート（ｐ）が、最終のシート（ｐ）かどうか判断して（ステップ３１１）、最終のシート（ｐ）でなければ、次のシート（ｐ）に対して（ステップ（３０３）からの処理を繰り返し、最終のシート（ｐ）であれば、最終のシート（ｐ）が通過して所定時間が経過した時点で、上記穿孔搬送路１１ａの上記入口ローラ１１ａ２と上記搬送ローラ１１ａ３、上記シフトトレイ搬送路１１ｃの上記搬送ローラ１１ｃ１と上記シフト排出ローラ１５ａの回動を停止させて（ステップ３１２）、上記分岐爪１３と上記分岐爪１４を駆動するソレノイドをオフ（ＯＦＦ）して（ステップ３１３）、エンドで終了する。
これにより、上記画像形成装置２０側から搬入されて来たシート（ｐ）を全て上記シフトトレイ１０ｃに綴じることなく排出し、仕分けして積載する。
尚、図示のように、上記穿孔装置１０ａが、上記入口ローラ１１ａ２と上記搬送ローラ１１ａ３の間に配置されているので、この間に、上記穿孔装置１０ａによって、穴あけをしたシート（ｐ）のソートやスタックが可能である。
【００４５】
図４８乃至と図５０において、上記裁断装置０を具備する上記画像形成の後処理装置１０における、上述のスティプルモードの動作は、上記制御手段１６によって、次のように実行される（図１２を参照）。
シート（ｐ）が上記画像形成装置２０側から搬入される状態になると、スタートして、上記入口ローラ１１ａ２と上記搬送ローラ１１ａ３、上記搬送ローラ１１ｄ１８、上記搬送ローラ１１ｄ２、上記搬送ローラ１１ｄ３、上記スティプル排出ローラ１１ｄ４、叩きコロ１１ｄ５がそれぞれ回動を開始する（ステップ４０１）、そして、上記分岐爪１３を駆動するソレノイドをオン（ＯＮ）して、上記分岐爪１３を反時計方向に回動させて（ステップ４０２）、次いで、上記端面綴じスティプラ７ｂを上記スティプル移動ＨＰセンサ１１ｄ１７で検知して、ホームポジションを確認した後、上記スティプル移動モータ１１ｄ１５を駆動して、上記端面綴じスティプラ７ｂを綴じ位置に移動させて（ステップ４０３）、又、上記放出ベルト１１ｄ８のホームポジションも上記放出ベルトＨＰセンサ１１ｄ９で検知し、その位置を確認した後、上記放出モータ１１ｄ１０を駆動して待機位置に上記放出ベルト１１ｄ８を移動させる（ステップ４０４）。又、上記ジョガーフェンス１１ｄ６もジョガーフェンスＨＰセンサでホームポジションの位置を検出した後、待機位置に移動させる（ステップ４０５）。更に、上記分岐ガイド板１０ｄ１と上記可動ガイド１０ｄ２をホームポジションに移動させる（ステップ４０６）。そして、上記入口センサ１１ａ１のオン（ＯＮ）を判断して（ステップ４０７）、上記入口センサ１１ａ１のオフ（ＯＦＦ）を判断して（ステップ４０８）、上記スティプル排出センサ１１ｄ１９がオン（ＯＮ）を判断して（ステップ４０９）、上記シフト排出センサ１５ａ３がオフ（ＯＦＦ）を判断して（ステップ４１０）、上記シフト排出センサ１５ａ３がオフ（ＯＦＦ）であれば、上記整合綴じ処理トレイ１０ｄにシート（ｐ）が排出され、シート（ｐ）が存在しているので、上記叩きソレノイド（ＳＯＬ）１１ｄ５２を所定時間オン（ＯＮ）にし、上記叩きコロ１１ｄ５を所定時間オン（ＯＮ）して、シート（ｐ）に接触させ、上記可動端フエンス１０ｄ３側に付勢して、シート（ｐ）の後端を揃えて（ステップ４１１）、次いで、上記ジョガーモータ１１ｄ６１を駆動することで、上記ジョガーフエンス１１ｄ６を所定量内側に移動させて、シート（ｐ）の幅方向、シート（ｐ）の搬送方向に直交する方向の揃え動作を行なった後、待機位置に戻し（ステップ４１２）、これにより上記整合綴じ処理トレイ１０ｄに送り込まれたシート（ｐ）の縦横、シート（ｐ）の搬送方向に平行な方向と直交する方向が揃えられ、これら（ステップ４０７）から（ステップ４１３）までの動作を１枚毎に繰り返し、部の最終のシート（ｐ）になると（ステップ４１３）、上記ジョガーフエンス１１ｄ６を所定量内側に移動させてシート（ｐ）の端面がずれない状態にして（ステップ４１４）、この状態で上記端面綴じスティプラ７ｂをオン（ＯＮ）にして端面閉じをオン（ＯＮ）して実行する（ステップ４１５）。一方、上記シフトトレイ１０ｃを所定量を下降させて、排出スペースを確保して（ステップ４１６）、シフト排出モータを駆動して上記シフト排出ローラ１５ａの回動を開始して（ステップ４１７）、更に、上記放出モータ１１ｄ１０をオン（ＯＮ）にして上記放出ベルト１１ｄ８を所定量回動させて、綴じられた被転写体のシートの束（Ｐ）を上記シフトトレイ搬送路１１ｃの方向に押し上げて、被転写体のシートの束（Ｐ）は、上記シフト排出ローラ１５ａのニップ部に挟まれて、上記シフトトレイ１０ｃへの排出動作が行なわれる（ステップ４１８）。そして、上記シフト排出センサ１５ａ３がオン（ＯＮ）を判断して（ステップ４１９）、被転写体のシートの束（Ｐ）が上記シフト排出センサ１５ａ３の位置に進入し、上記シフト排出センサ１５ａ３がオフ（ＯＦＦ）になって、被転写体のシートの束（Ｐ）が上記シフト排出センサ１５ａ３を抜けたことを判断して（ステップ４２０）、被転写体のシートの束（Ｐ）が上記シフト排出ローラ１５ａによって、上記シフトトレイ１０ｃへの排出動作が完了する状態になっているから、上記放出ベルト１１ｄ８を待機位置に移動させて（ステップ４２１）、及び、上記ジョガーフエンス１１ｄ６も待機位置に移動させて（ステップ４２２）、上記シフト排出ローラ１５ａの回動を所定時間経過後に停止させ（ステップ４２３）、上記シフトトレイ１０ｃをシート（ｐ）の受け入れ位置に上昇させる（ステップ４２４）、この上昇位置は、シート面検知センサ１５ｃによって上記シフトトレイ１０ｃ上に積載された被転写体のシートの束（Ｐ）の最上位のシート（ｐ）の上面を検知することにより制御され、これらの一連の動作をジョブの最終の部まで繰り返す（ステップ４２５）。そして、被転写体のシートの束（Ｐ）の最終部になると、上記端面綴じスティプラ７ｂをホームポジションに移動させ（ステップ４２６）、上記放出ベルト１１ｄ８もホームポジションに移動させ（ステップ４２７）、上記ジョガーフエンス１１ｄ６もホームポジションに移動させ（ステップ４２８）、上記穿孔搬送路１１ａの上記入口ローラ１１ａ２と上記搬送ローラ１１ａ３、上記整合綴じ搬送路１１ｄの上記搬送ローラ１１ｄ１８、上記搬送ローラ１１ｄ２、上記搬送ローラ１１ｄ３、上記スティプル排出ローラ１１ｄ４、上記整合綴じ処理トレイ１０ｄの叩きコロ１１ｄ５がそれぞれ回動を停止する（ステップ４２９）、上記分岐爪１３を駆動するソレノイドをオフ（ＯＦＦ）して（ステップ４３０）、エンドで終了する。
これにより、上記画像形成装置２０側から搬入されて来たシート（ｐ）を上記整合綴じ処理トレイ１０ｄで綴じ処理を行なって上記シフトトレイ１０ｃに排出して積載する。
尚、この場合も、図示のように、上記穿孔装置１０ａが、上記入口ローラ１１ａ２と上記搬送ローラ１１ａ３の間に配置されているので、この間に、上記穿孔装置１０ａによって、穴あけをしたシート（ｐ）の綴じ処理が可能である。
【００４６】
図５１乃至図５４において、上記裁断装置０を具備する上記画像形成の後処理装置１０における、裁断手段５による裁断なしの中綴じ製本モードの動作は、上記制御手段１６によって、次のように実行される（図１２を参照）。
シート（ｐ）が上記画像形成装置２０側から搬入される状態になると、スタートして、上記入口ローラ１１ａ２と上記搬送ローラ１１ａ３、上記搬送ローラ１１ｄ１８、上記搬送ローラ１１ｄ２、上記搬送ローラ１１ｄ３、上記スティプル排出ローラ１１ｄ４、叩きコロ１１ｄ５がそれぞれ回動を開始する（ステップ５０１）。そして、上記分岐爪１３を駆動するソレノイドをオン（ＯＮ）して、上記分岐爪１３を反時計方向に回動させて（ステップ５０２）、次いで、上記放出ベルト１１ｄ８のホームポジションも上記放出ベルトＨＰセンサ１１ｄ９で検知し、その位置を確認した後、上記放出モータ１１ｄ１０を駆動して待機位置に上記放出ベルト１１ｄ８を移動させる（ステップ５０３）。又、上記ジョガーフェンス１１ｄ６もジョガーフェンスＨＰセンサでホームポジションの位置を検出した後、待機位置に移動させる（ステップ５０４）。更に、上記分岐ガイド板１０ｄ１と上記可動ガイド１０ｄ２をホームポジションに移動させる（ステップ５０５）。そして、上記入口センサ１１ａ１のオン（ＯＮ）を判断して（ステップ５０６）、上記入口センサ１１ａ１のオフ（ＯＦＦ）を判断して（ステップ５０７）、上記スティプル排出センサ１１ｄ１９がオン（ＯＮ）を判断して（ステップ５０８）、上記シフト排出センサ１５ａ３がオフ（ＯＦＦ）を判断して（ステップ５０９）、上記整合綴じ処理トレイ１０ｄにシート（ｐ）が排出され、シート（ｐ）が存在しているので、上記叩きソレノイド（ＳＯＬ）１１ｄ５２を所定時間オン（ＯＮ）にし、上記叩きコロ１１ｄ５を所定時間オン（ＯＮ）して、シート（ｐ）に接触させ、上記可動端フエンス１０ｄ３側に付勢して、シート（ｐ）の後端を揃える（ステップ５１０）。次いで、上記ジョガーモータ１１ｄ６１を駆動することで、上記ジョガーフエンス１１ｄ６を所定量内側に移動させて、シート（ｐ）の幅方向、シート（ｐ）の搬送方向に直交する方向の揃え動作を行なった後、待機位置に戻し（ステップ５１１）、これにより上記整合綴じ処理トレイ１０ｄに送り込まれた被転写体のシート（Ｓ）の縦横、シート（ｐ）の搬送方向に平行な方向と直交する方向が揃えられ、これら（ステップ５０６）から（ステップ５１２）までの動作を１枚毎に繰り返し、部の最終のシート（ｐ）になると（ステップ５１２）、上記ジョガーフエンス１１ｄ６を所定量内側に移動させてシート（ｐ）の端面がずれない状態にして（ステップ５１３）、この状態で上記放出モータ１１ｄ１０をオン（ＯＮ）にすることにより上記放出ベルト１１ｄ８を所定量回動させて（ステップ５１４）、上記中綴じスティプラ７ａの綴じ位置まで被転写体のシートの束（Ｐ）を上昇させて、被転写体のシートの束（Ｐ）の中央部で上記中綴じスティプラ７ａをオン（ＯＮ）して、中綴じを行なって（ステップ５１５）、次いで、上記分岐ガイド板１０ｄ１と上記可動ガイド１０ｄ２を所定量を変位させて上記裁断装置０の上記折り処理搬送路１に向かう経路を形成して（ステップ５１６）、上記折り装置０の上記折り処理搬送路１の上記搬送ローラ上１ａと上記搬送ローラ下１ｂの回動を開始させ（ステップ５１７）、上記折り処理搬送路１に設けられている上記可動後端フエインス１ｃのホームポジションを検知した後、上記可動後端フエインス１ｃを待機位置に移動させる（ステップ５１８）。このようにして、上記折り処理搬送路１の被転写体のシートの束（Ｐ）の受け入れ体制が整えられると、上記放出ベルト１１ｄ８を、更に、所定量を回動させて（ステップ５１９）、上記放出ローラ１１ｄ１３と上記加圧コロ１０ｄ１２に咥え込ませ、上記折り処理搬送路１側に被転写体のシートの束（Ｐ）を搬送して、被転写体のシートの束（Ｐ）の先端が到達センサ１ｄに達し（ステップ５２０）、所定距離搬送したら、上記折り処理搬送路１の上記搬送ローラ上１ａと上記搬送ローラ下１ｂの回動を停止させ（ステップ５２１）、上記搬送ローラ下１ｂの加圧状態を解除させ（ステップ５２２）。次いで、上記折りプレート２による折り動作を開始して（ステップ５２３）、一対の折りローラ３ａ、上記押え手段６の上記一対の押えローラ６ａの回動を開始して（ステップ５２４）、被転写体のシートの束（Ｐ）を所定距離を搬送して、被転写体のシートの束（Ｐ）の先端が上記シートの束検知センサ４ｃ８に達し（ステップ５２５）、被転写体のシートの束（Ｐ）を所定距離を搬送して一対の折りローラ３ａ、上記押え手段６の上記一対の折りローラ６ａの回動を停止して（ステップ５２６）、上記増し折り手段４の上記増し折りローラ４ａを上記位置検知センサ後４ｃ７から上記位置検知センサ前４ｃ６に移動して（ステップ５２７）、一対の折りローラ３ａ、上記押え手段６の上記一対の押えローラ６ａ、上記搬送手段８の搬送ローラ等の回動を開始する（ステップ５２８）。そして上記折り部通過センサ３ｂによって中折りされた被転写体のシートの束（Ｐ）の通過によるオン（ＯＮ）を判断して（ステップ５２９）、そして上記折り部通過センサ３ｂによって中折りされた被転写体のシートの束（Ｐ）の通過によるオフ（ＯＦＦ）を判断する（ステップ５３０）。このようにして、被転写体のシートの束（Ｐ）の通過を監視して、上記搬送ローラ下１ｂを加圧状態にして（ステップ５３１）、上記折りプレート２をホームポジションに移動させて（ステップ５３２）、上記分岐ガイド板１０ｄ１と上記可動ガイド１０ｄ２をホームポジションに移動させる（ステップ５３３）。この状態で、下排出センサ８ａによって被転写体のシートの束（Ｐ）の通過によるオン（ＯＮ）を判断して（ステップ５３４）、上記下排出センサ８ａによって被転写体のシートの束（Ｐ）の通過によるオフ（ＯＦＦ）を判断して（ステップ５３５）、上記下排出センサ８ａを被転写体のシートの束（Ｐ）の後端が通過すると、一対の折りローラ３ａ、上記押え手段６の上記一対の押えローラ６ａ、上記搬送手段８の搬送ローラの回動を、更に、所定時間を回動させた後、停止して（ステップ５３６）、上記増し折り手段４の上記増し折りローラ４ａを上記位置検知センサ前４ｃ６から上記位置検知センサ後４ｃ７に移動して戻す（ステップ５３７）。次いで、上記放出ベルト１１ｄ８を待機位置に移動させて（ステップ５３８）、上記ジョガーフエンス１１ｄ６を待機位置に移動させて（ステップ５３９）、そして、ジョブの最終の部かどうかを判断して（ステップ５４０）、ジョブの最終の部でなければ（ステップ５０６）に戻って以降の処理を繰り返し、ジョブの最終の部であれば、上記放出ベルト１１ｄ８をホームポジションに移動させて（ステップ５４１）、上記ジョガーフエンス１１ｄ６をホームポジションに移動させて（ステップ５４２）、上記穿孔搬送路１１ａの上記入口ローラ１１ａ２と上記搬送ローラ１１ａ３、上記整合綴じ搬送路１１ｄの上記搬送ローラ１１ｄ１８、上記搬送ローラ１１ｄ２、上記搬送ローラ１１ｄ３、上記スティプル排出ローラ１１ｄ４、上記整合綴じ処理トレイ１０ｄの叩きコロ１１ｄ５の回動を停止し（ステップ５４３）、上記分岐爪１３の分岐ソレノイドをオフ（ＯＦＦ）にして（ステップ５４４）、すべて初期状態に戻して、エンドで処理を終了する。
これにより、上記画像形成装置２０側から搬入されて来たシート（ｐ）を上記整合綴じ処理トレイ１０ｄで中綴じ処理し、上記裁断装置０で中折り処理を行なって上記下トレイ１２に、中折りされた被転写体のシートの束（Ｐ）を排出して積載する。
【００４７】
図５５乃至図５８において、上記裁断装置０を具備する上記画像形成の後処理装置１０における、上述の上記裁断手段５による裁断の行われる中綴じ製本モードの動作は、上記制御手段１６によって、次のように実行される（図１２を参照）。
シート（ｐ）が上記画像形成装置２０側から搬入される状態になると、スタートして、入口ローラ１１ａ２と搬送ローラ１１ａ３、搬送ローラ１１ｄ１８、搬送ローラ１１ｄ２、搬送ローラ１１ｄ３、スティプル排出ローラ１１ｄ４、叩きコロ１１ｄ５がそれぞれ回動を開始する（ステップ６０１）。そして、上記分岐爪１３を駆動するソレノイドをオン（ＯＮ）して、上記分岐爪１３を反時計方向に回動させる（ステップ６０２）。次いで、上記放出ベルト１１ｄ８のホームポジションも上記放出ベルトＨＰセンサ１１ｄ９で検知し、その位置を確認した後、上記放出モータ１１ｄ１０を駆動して待機位置に上記放出ベルト１１ｄ８を移動させる（ステップ６０３）。又、上記ジョガーフェンス１１ｄ６もジョガーフェンスＨＰセンサでホームポジションの位置を検出した後、待機位置に移動させる（ステップ６０４）。更に、上記分岐ガイド板１０ｄ１と上記可動ガイド１０ｄ２をホームポジションに移動させる（ステップ６０５）。そして、上記入口センサ１１ａ１のオン（ＯＮ）を判断して（ステップ６０６）、上記入口センサ１１ａ１のオフ（ＯＦＦ）を判断して（ステップ６０７）、上記スティプル排出センサ１１ｄ１９がオン（ＯＮ）を判断して（ステップ６０８）、上記シフト排出センサ１５ａ３がオフ（ＯＦＦ）を判断して（ステップ６０９）、上記整合綴じ処理トレイ１０ｄにシート（ｐ）が排出され、シート（ｐ）が存在しているので、上記叩きソレノイド（ＳＯＬ）１１ｄ５２を所定時間オン（ＯＮ）にし、上記叩きコロ１１ｄ５を所定時間オン（ＯＮ）して、シート（ｐ）に接触させ、上記可動端フエンス１０ｄ３側に付勢して、シート（ｐ）の後端を揃える（ステップ６１０）。次いで、上記ジョガーモータ１１ｄ６１を駆動することで、上記ジョガーフエンス１１ｄ６を所定量内側に移動させて、シート（ｐ）の幅方向、シート（ｐ）の搬送方向に直交する方向の揃え動作を行なった後、待機位置に戻し（ステップ６１１）、これにより上記整合綴じ処理トレイ１０ｄに送り込まれた被転写体のシート（Ｓ）の縦横、シート（ｐ）の搬送方向に平行な方向と直交する方向が揃えられ、これら（ステップ６０６）から（ステップ６１２）までの動作を１枚毎に繰り返し、部の最終のシート（ｐ）になると（ステップ６１２）、上記ジョガーフエンス１１ｄ６を所定量内側に移動させてシート（ｐ）の端面がずれない状態にする（ステップ６１３）。この状態で上記放出モータ１１ｄ１０をオン（ＯＮ）にすることにより上記放出ベルト１１ｄ８を所定量回動させて（ステップ６１４）、上記中綴じスティプラ７ａの綴じ位置まで被転写体のシートの束（Ｐ）を上昇させて、被転写体のシートの束（Ｐ）の中央部で上記中綴じスティプラ７ａをオン（ＯＮ）して、中綴じを行なう（ステップ６１５）。次いで、上記分岐ガイド板１０ｄ１と上記可動ガイド１０ｄ２を所定量を変位させて上記裁断装置０の上記折り処理搬送路１に向かう経路を形成して（ステップ６１６）、上記折り装置０の上記折り処理搬送路１の上記搬送ローラ上１ａと上記搬送ローラ下１ｂの回動を開始させ（ステップ６１７）、上記折り処理搬送路１に設けられている上記可動後端フエインス１ｃのホームポジションを検知した後、上記可動後端フエインス１ｃを待機位置に移動させる（ステップ６１８）。このようにして、上記折り処理搬送路１の被転写体のシートの束（Ｐ）の受け入れ体制が整えられると、上記放出ベルト１１ｄ８を、更に、所定量を回動させて（ステップ６１９）、上記放出ローラ１１ｄ１３と上記加圧コロ１０ｄ１２に咥え込ませ、上記折り処理搬送路１側に被転写体のシートの束（Ｐ）を搬送して、被転写体のシートの束（Ｐ）の先端が到達センサ１ｄに達し（ステップ６２０）、所定距離搬送したら、上記折り処理搬送路１の上記搬送ローラ上１ａと上記搬送ローラ下１ｂの回動を停止させ（ステップ６２１）、上記搬送ローラ下１ｂの加圧状態を解除させる（ステップ６２２）。次いで、上記折りプレート２による折り動作を開始して（ステップ６２３）、一対の折りローラ３ａ、上記押え手段６の上記一対の押えローラ６ａの回動を開始して（ステップ６２４）、被転写体のシートの束（Ｐ）を所定距離を搬送して、被転写体のシートの束（Ｐ）の先端が上記シートの束検知センサ４ｃ８に達し（ステップ６２５）、被転写体のシートの束（Ｐ）を所定距離を搬送して一対の折りローラ３ａ、上記押え手段６の上記一対の押えローラ６ａの回動を停止して（ステップ６２６）、上記増し折り手段４の上記増し折りローラ４ａを上記位置検知センサ後４ｃ７から上記位置検知センサ前４ｃ６に移動して（ステップ６２７）、一対の折りローラ３ａ、上記押え手段６の上記一対の押えローラ６ａ、上記搬送手段８の搬送ローラ等の回動を開始して（ステップ６２８）、上記下排出センサ８ａによって被転写体のシートの束（Ｐ）の通過によるオン（ＯＮ）を判断して（ステップ６２９）、一対の折りローラ３ａ、上記押え手段６の上記一対の押えローラ６ａ、上記搬送手段８の搬送ローラ等の回動を停止して（ステップ６３０）、上記搬送手段８の搬送ローラで増し折り部を押えながら、上記押え手段６の上記一対の押えローラ６ａの上記従動ローラ６ａ２が上記押え解除手段６ｂにより待避されて解除して（ステップ６３１）、シートの束（Ｐ）の折り部付近に発生した撓みを開放して所定時間経過した後に、上記押え手段６の上記一対の押えローラ６ａの上記従動ローラ６ａ２を上記押え解除手段６ｂにより上記駆動ローラ６ａ１に対して再加圧して（ステップ６３２）、上記押え手段６の上記一対の押えローラ６ａの上記駆動ローラ６ａ１と上記従動ローラ６ａ２によって、シートの束（Ｐ）を上記裁断手段５の裁断が行われる裁断位置に搬送して（ステップ６３３）、上記裁断手段５の上記スライダベース５ｂ１を所定距離移動して裁断を行う（ステップ６３４）。そして上記折り部通過センサ３ｂによって中折りされた被転写体のシートの束（Ｐ）の通過によるオフ（ＯＦＦ）を判断する（ステップ６３５）。このようにして、被転写体のシートの束（Ｐ）の通過を監視して、上記搬送ローラ下１ｂを加圧状態にして（ステップ６３６）、上記折りプレート２をホームポジションに移動させて（ステップ６３７）、上記分岐ガイド板１０ｄ１と上記可動ガイド１０ｄ２をホームポジションに移動させる（ステップ６３８）。この状態で、上記下排出センサ８ａによって被転写体のシートの束（Ｐ）の通過によるオン（ＯＮ）を判断して（ステップ６３９）、上記下排出センサ８ａによって被転写体のシートの束（Ｐ）の通過によるオフ（ＯＦＦ）を判断して（ステップ６４０）、上記下排出センサ８ａを被転写体のシートの束（Ｐ）の後端が通過すると、一対の折りローラ３ａ、上記押え手段６の上記一対の押えローラ６ａ、上記搬送手段８の一対の搬送ローラの回動を、更に、所定時間を回動させた後、停止して（ステップ６４１）、上記増し折り手段４の上記増し折りローラ４ａを上記位置検知センサ前４ｃ６から上記位置検知センサ後４ｃ７に移動して戻して（ステップ６４２）、上記裁断手段５の上記スライダベース５ｂ１を上記カッタＨＰセンサ５ｂ１０に移動する（ステップ６４３）。次いで、上記放出ベルト１１ｄ８を待機位置に移動させて（ステップ６４４）、上記ジョガーフエンス１１ｄ６を待機位置に移動させる（ステップ６４５）。そして、ジョブの最終の部かどうかを判断して（ステップ６４６）、ジョブの最終の部でなければ（ステップ６０６）に戻って以降の処理を繰り返し、ジョブの最終の部であれば、上記放出ベルト１１ｄ８をホームポジションに移動させて（ステップ６４７）、上記ジョガーフエンス１１ｄ６をホームポジションに移動させて（ステップ６４８）、入口ローラ１１ａ２と上記搬送ローラ１１ａ３、上記整合綴じ搬送路１１ｄの上記搬送ローラ１１ｄ１８、上記搬送ローラ１１ｄ２、上記搬送ローラ１１ｄ３、上記スティプル排出ローラ１１ｄ４、上記整合綴じ処理トレイ１０ｄの叩きコロ１１ｄ５の回動を停止し（ステップ６４９）、上記分岐爪１３の分岐ソレノイドをオフ（ＯＦＦ）にして（ステップ６５０）、すべて初期状態に戻して、エンドで処理を終了する。
これにより、上記画像形成装置２０側から搬入されて来たシート（ｐ）を上記整合綴じ処理トレイ１０ｄで中綴じ処理し、上記裁断装置０で中折り処理と裁断処理を行なって上記下トレイ１２に、中折りと裁断された被転写体のシートの束（Ｐ）を排出して積載する。
従って、トナー画像が形成されたシート（ｐ）の転写用紙の折り処理をした後に裁断処理したシートの束（Ｐ）におけるページ捲り等の使い勝手が良く、シートの束（Ｐ）の折り部の折れが十分に行われて見栄えも良く、その装置もシートの束（Ｐ）の移送距離が短く、耐久性に優れ安全で小型である上記裁断装置０を具備する上記画像形成の後処理装置１０を提供することができるようになった。
【００４８】
図５９乃至図６１において、上記裁断装置０を具備する上記画像形成装置２０は、画像を形成するトナー画像形成手段２１、シート（ｐ）の転写用紙を上記トナー画像形成手段２１に供給する給紙装置２２、形成画像を読み込むためのスキャナー２３、及び、ＡＲＤＦ２４等で構成されている。
上記折り装置０を具備する上記画像形成の後処理装置１０は、搬入されるシート（ｐ）の転写用紙を綴じ止めのスティプル処理やパンチ処理等をも行なう画像形成後の処理機能を有しており、上記画像形成装置２０の側部に取り付けられて、上記トナー画像形成手段２１で画像が形成されて搬入されたシート（ｐ）の転写用紙に対して穴あけ、スティプル綴じの端面綴じ、又は、中綴じ、裁断等の後処理が行なわれる。
尚、一般的なシート（ｐ）の転写用紙の流れは、図示の様に上記給紙装置２２→上記トナー画像形成手段２１→上記画像形成の後処理装置１０（上記裁断装置０）となる（図５９を参照）。
上記画像形成装置２０は、形成画像を読み込むための上記スキャナー２３、及び、上記ＡＲＤＦ２４等の無いプリンター形態のシステムの場合も（図６０を参照）、その他の構成は、上記コピア形態と同様である。
電子写真方法でトナー画像を形成する上記画像形成装置２０の上記トナー画像形成手段２１は、中間転写ベルト２１ａ、又は、ベルト形状の像担持体２１ｂである感光体ベルトと、上記中間転写ベルト２１ａ、又は、上記ベルト形状の像担持体２１ｂである感光体ベルトに形成されたトナー画像をシート（ｐ）の転写用紙、又は、上記中間転写ベルト２１ａに転写する転写手段２１ｃ、又は、転写手段２１ｄと、上記転写手段２１ｃ、又は、上記転写手段２１ｄのニップ部（ｎ）に回動搬入される上記中間転写ベルト２１ａ、又は、上記ベルト形状の像担持体２１ｂである感光体ベルトの回動搬入方向（Ｖ）を不変状態で懸架して維持しながら、上記中間転写ベルト２１ａ、又は、上記ベルト形状の像担持体２１ｂである感光体ベルトに回動搬入方向（Ｗ）の上流側に配置されて張力を付与するテンションローラ２１ｅ、又は、テンションローラ２１ｆ、帯電器２１ｇ、光書き込みユニット２１ｈ、現像手段２１ｉ、搬送ローラ２１ｊ、定着装置２１ｋ、駆動ローラ２１ｌ、クリーニング対向ローラ２１ｍ、レジストローラ２１ｎ、上記排紙ローラ対２１ｏ、上記操作部２１ｑ、感光体クリーニング装置２１ｒ等で構成されている（図６１を参照）。
【００４９】
上記ベルト形状の像担持体２１ｂである感光体ベルトは、転写ローラ２１ｄ１に対向する対向転写ローラ２１ｄ２や上記テンションローラ２１ｆ等の複数の支持ローラに掛け回され懸架された潜像担持体としての感光体ベルトである。
上記ベルト形状の像担持体２１ｂである感光体ベルトは、図中の矢印（Ｖ）方向に回動駆動され、その周りには、上記帯電器２１ｇ、上記光書き込みユニット２１ｈ、上記現像手段２１ｉの４組のブラック（Ｂｌａｃｋ）現像装置２１ｉ１、シアン（Ｃｙａｎ）現像装置２１ｉ２、マゼンタ（Ｍａｇｅｎｔａ）現像装置２１ｉ３、イエロー（Ｙｅｌｌｏｗ）現像装置２１ｉ４、上記中間転写ベルト２１ａ、上記感光体クリーニング装置２１ｒ等が配置されている。
上記ベルト形状の像担持体２１ｂである感光体ベルトの表面には、有機感光層が形成されている。
上記トナー画像形成手段２１において、画像形成動作を実行するときは、上記操作部２１ｑの図示しない画像形成動作スイッチのオン（ＯＮ）で、上記帯電器２１ｇに高電圧が印加されることにより、上記ベルト形状の像担持体２１ｂである感光体ベルトが一様に帯電される。
そして、図示しない画像信号処理部では、カラー画像情報、例えば、外部のコンピュータから送られてきたカラー画像信号が光書き込み信号に変換されて、上記光書き込みユニット２１ｈに送られる。
【００５０】
上記光書き込みユニット２１ｈでは，上記光書き込み信号に基づいて，光源としてのレーザが制御され、ポリゴンミラー、ｆ／θレンズ、及び、反射ミラー等を介して、ブラック（Ｂｌａｃｋ）、シアン（Ｃｙａｎ）、マゼンタ（Ｍａｇｅｎｔａ）、イエロー（Ｙｅｌｌｏｗ）の画像信号に対応した光書き込みが行われ、上記ベルト形状の像担持体２１ｂである感光体ベルト上に静電潜像が形成される。
上記ベルト形状の像担持体２１ｂである感光体ベルト上の静電潜像は，各色トナーをそれぞれ有する、上記現像手段２１ｉの４組の各上記ブラック現像装置２１ｉ１、上記シアン現像装置２１ｉ２、上記マゼンタ現像装置２１ｉ３、上記イエロー現像装置２１ｉ４によって各色ごとに現像される。
これにより、上記ベルト形状の像担持体２１ｂである感光体ベルト上には、各色ごとにトナー画像が形成される。
上記ベルト形状の像担持体２１ｂである感光体ベルトと上記中間転写ベルト２１ａとの接触部においては、上記中間転写ベルト２１ａにトナーと逆極性の電荷を印加することにより、上記中間転写ベルト２１ａ上に、上記ベルト形状の像担持体２１ｂである感光体ベルト上に形成されたトナー画像が転写される。
このトナー画像の形成、及び、転写動作を４回繰り返すことにより、上記中間転写ベルト２１ａ上に、４色重ねのカラートナー画像が形成される。
上記中間転写ベルト２１ａ上のカラートナー画像は、上記給紙装置２２から上記搬送ローラ２１ｊ、上記レジストローラ対２１ｎによって送られてきた被転写体のシート（Ｓ）の転写用紙に、２次転写部材としての、上記転写手段２１ｃの簡単な構造の転写ローラ２１ｃ１と対向転写ローラ２１ｃ２によって転写される。
カラートナー画像が転写されたシート（ｐ）の転写用紙は、上記定着装置２１ｋに搬送され，カラートナー像が溶融定着された後、上記排紙コロ対２１ｏから、上記裁断装置０を具備する上記画像形成の後処理装置１０に排紙、搬入され、中綴じ、折りや裁断等の画像形成後の処理が必要に応じて行なわれて収納されるようになっている。
上記中間転写ベルト２１ａは、ウレタンベースの弾性体部材からなるベルトであり、各上記駆動ローラ２１ｌ、上記クリーニング対向ローラ２１ｍ、上記転写手段２１ｃの上記転写ローラ２１ｃ１に対向する上記対向転写ローラ２１ｃ２、上記テンションローラ２１ｅ等に懸架されて図示の矢印（Ｖ）方向に回動する。上記テンションローラ２１ｅを除く、各上記駆動ローラ２１ｌ、上記クリーニング対向ローラ２１ｍ、上記転写手段２１ｃの上記転写ローラ２１ｃ１に対向する上記対向転写ローラ２１ｃ２等は中間転写ユニットのフレームに対して位置固定であり、上記中間転写ベルト２１ａへの張力は上記テンションローラ２１ｅによって架けられる。
従って、トナー画像が形成されたシート（ｐ）の転写用紙の折り処理をした後に裁断処理したシートの束（Ｐ）におけるページ捲り等の使い勝手が良く、シートの束（Ｐ）の折り部の折れが十分に行われて見栄えも良く、その装置もシートの束（Ｐ）の移送距離が短く、耐久性に優れ安全で小型である上記裁断装置０を具備する画像形成装置２０を提供することができるようになった。
【００５１】
【発明の効果】
本発明は、以上に説明したように構成されているので、請求項１の発明によれば、折り処理をした後に裁断処理したシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
請求項２の発明によれば、折り処理をした後に裁断処理した綴じ処理を施されたシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。請求項３の発明によれば、折り処理をした後に裁断処理した中綴じ処理を施されたシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
請求項４の発明によれば、折り処理をした後に裁断処理したシートの束における、ページ捲り等の使い勝手が良く、シートの束の折り部の折れが十分に行われて見栄えも更に良く、その装置もシートの束の移送距離が更に短く、耐久性に更に優れ更に安全で更に小型である裁断装置を提供することができるようになった。
【００５２】
請求項５の発明によれば、簡単な装置で正確に確実に折り処理をした後に、裁断処理したシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
請求項６の発明によれば、簡単な装置で確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
請求項７の発明によれば、増し折りローラがシートの束の画像面上で滑って画像面をこすることにより生じるシートの束の面の汚れがなくなり、簡単な装置で確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
請求項８の発明によれば、簡単な装置で撓みを防止して確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
【００５３】
請求項９の発明によれば、簡単な装置でスラスト方向に移動しながら上下方向に移動可能な状態にすることができて確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
請求項１０の発明によれば、簡単な装置でスラスト方向に移動しながら容易に上下方向に移動可能な状態にすることができて確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
請求項１１の発明によれば、簡単な装置で増し折りローラ支持部材と増し折りローラの姿勢が斜めになることを防止して折り部上を加圧する力が逃げることなく確実に十分な折り処理をした後に裁断処理したシートの束における、ページ捲り等の使い勝手が良く、シートの束の折り部の折れが十分に行われて見栄えも更に良く、その装置もシートの束の移送距離が短く、耐久性に優れ安全で小型である裁断装置を提供することができるようになった。
請求項１２の発明によれば、折り処理をした後に小型の裁断装置で裁断処理したシートの束における、ページ捲り等の使い勝手が良く、シートの束の折り部の折れが十分に行われて見栄えも良く、その装置もシートの束の移送距離が短く、耐久性に優れ安全で更に小型である裁断装置を提供することができるようになった。
請求項１３の発明によれば、折り処理をした後に小型の裁断装置で常に適切な押圧力を持ちながら裁断処理したシートの束における、ページ捲り等の使い勝手が良く、シートの束の折り部の折れが十分に行われて見栄えも良く、その装置もシートの束の移送距離が短く、耐久性に優れ安全で更に小型である裁断装置を提供することができるようになった。
請求項１４の発明によれば、折り処理をした後に小型の裁断装置で常に適切な押圧力を持ちながら直線的な移動で裁断処理したシートの束における、ページ捲り等の使い勝手が良く、シートの束の折り部の折れが十分に行われて見栄えも良く、その装置もシートの束の移送距離が短く、耐久性に優れ安全で更に小型である裁断装置を提供することができるようになった。
【００５４】
請求項１５の発明によれば、折り処理をした後に小型の裁断装置で回転しながら左右に移動して裁断処理したシートの束における、ページ捲り等の使い勝手が良く、シートの束の折り部の折れが十分に行われて見栄えも良く、その装置もシートの束の移送距離が短く、耐久性に優れ安全で更に小型である裁断装置を提供することができるようになった。
請求項１６の発明によれば、シートの束の折り部付近に発生した撓みを開放して、折り処理をした後に裁断処理したシートの束における、ページ捲り等の使い勝手が良く、シートの束の折り部の折れが十分に行われて見栄えも更に良く、その装置もシートの束の移送距離が更に短く、耐久性に更に優れ更に安全で更に小型である裁断装置を提供することができるようになった。
請求項１７の発明によれば、簡単な装置でシートの束の折り部付近に発生した撓みを開放して裁断を行うから裁断を行った際のズレが低減して、折り処理をした後に裁断処理したシートの束における、ページ捲り等の使い勝手が良く、シートの束の折り部の折れが十分に行われて見栄えも更に良く、その装置もシートの束の移送距離が更に短く、耐久性に更に優れ更に安全で更に小型である裁断装置を提供することができるようになった。
請求項１８の発明によれば、簡単な装置で耐久性に優れて安全にシートの束が押えられて、折り処理をした後に裁断処理したシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
請求項１９の発明によれば、一対の押えローラの簡単な装置で耐久性に優れて安全にシートの束が押えられて、折り処理をした後に裁断処理したシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
【００５５】
請求項２０の発明によれば、簡単な装置で耐久性に優れて安全にシートの束が押えと解除が行われて、折り処理をした後に裁断処理したシートの束における、ページ捲り等の使い勝手が良く、シートの束の折り部の折れが十分に行われて見栄えも良く、その装置もシートの束の移送距離が短く、耐久性に優れ安全で小型である裁断装置を提供することができるようになった。
請求項２１の発明によれば、折り処理をした後に裁断処理したシートの束における、ページ捲り等の使い勝手が良く、シートの束の折り部の折れが十分に行われて見栄えも良く、その装置もシートの束の移送距離が短く、耐久性に優れ安全で更に小型で低コストである裁断装置を提供することができるようになった。
請求項２２の発明によれば、トナー画像が形成された被転写体のシートの転写用紙の折り処理をした後に裁断処理したシートの束におけるページ捲り等の使い勝手が良く、シートの束の折り部の折れが十分に行われて見栄えも良く、その装置もシートの束の移送距離が短く、耐久性に優れ安全で小型である裁断装置を具備する画像形成の後処理装置を提供することができるようになった。
請求項２３の発明によれば、トナー画像が形成された被転写体のシートの転写用紙の折り処理をした後に裁断処理したシートの束におけるページ捲り等の使い勝手が良く、シートの束の折り部の折れが十分に行われて見栄えも良く、その装置もシートの束の移送距離が短く、耐久性に優れ安全で小型である裁断装置を具備する画像形成装置を提供することができるようになった。
【図面の簡単な説明】
【図１】本発明の実施の形態例を示す裁断装置を説明する説明図である。
【図２】本発明の実施の形態例を示す裁断装置の主要部を説明する説明図である。
【図３】本発明の実施の形態例を示す裁断装置の他の主要部を説明する説明図である。
【図４】本発明の実施の形態例を示す裁断装置の他の主要部の状態を説明する説明図である。
【図５】本発明の実施の形態例を示す裁断装置の他の主要部の動作を説明するフローチャートである。
【図６】本発明の実施の形態例を示す裁断装置の他の主要部を説明する説明図である。
【図７】本発明の実施の形態例を示す裁断装置の他の主要部を説明する説明図である。
【図８】本発明の実施の形態例を示す裁断装置の他の主要部の動作を説明するフローチャートである。
【図９】本発明の実施の形態例を示す裁断装置の他の主要部を説明する説明図である。
【図１０】本発明の実施の形態例を示す裁断装置の他の主要部を説明する説明図である。
【図１１】本発明の実施の形態例を示す裁断装置の他の主要部の動作を説明するフローチャートである。
【図１２】本発明の実施の形態例を示す裁断装置を具備する画像形成の後処理装置を説明する説明図である。
【図１３】本発明の実施の形態例を示す裁断装置を具備する画像形成の後処理装置の主要部を説明する斜視図である。
【図１４】本発明の実施の形態例を示す裁断装置を具備する画像形成の後処理装置の他の主要部の状態を説明する拡大図である。
【図１５】本発明の実施の形態例を示す裁断装置を具備する画像形成の後処理装置の他の主要部の状態を説明する拡大図である。
【図１６】本発明の実施の形態例を示す裁断装置を具備する画像形成の後処理装置の他の主要部を説明する斜視図である。
【図１７】本発明の実施の形態例を示す裁断装置を具備する画像形成の後処理装置の他の主要部を説明する拡大斜視図である。
【図１８】本発明の実施の形態例を示す裁断装置を具備する画像形成の後処理装置の他の主要部を説明する拡大斜視図である。
【図１９】本発明の実施の形態例を示す裁断装置を具備する画像形成の後処理装置の他の主要部を説明する斜視図である。
【図２０】本発明の実施の形態例を示す裁断装置を具備する画像形成の後処理装置の他の主要部を説明する斜視図である。
【図２１】本発明の実施の形態例を示す裁断装置を具備する画像形成の後処理装置の他の主要部を説明する説明図である。
【図２２】本発明の実施の形態例を示す裁断装置を具備する画像形成の後処理装置の他の主要部を説明する斜視図である。
【図２３】本発明の実施の形態例を示す裁断装置を具備する画像形成の後処理装置の他の主要部を説明する拡大斜視図である。
【図２４】本発明の実施の形態例を示す裁断装置を具備する画像形成の後処理装置の他の主要部を説明する説明図である。
【図２５】本発明の実施の形態例を示す裁断装置を具備する画像形成の後処理装置の他の主要部を説明する拡大斜視図である。
【図２６】本発明の実施の形態例を示す裁断装置を具備する画像形成の後処理装置の他の主要部を説明する拡大斜視図である。
【図２７】本発明の実施の形態例を示す裁断装置を具備する画像形成の後処理装置の他の主要部の状態を説明する拡大説明図である。
【図２８】本発明の実施の形態例を示す裁断装置を具備する画像形成の後処理装置の他の主要部の他の状態を説明する拡大説明図である。
【図２９】本発明の実施の形態例を示す裁断装置を具備する画像形成の後処理装置の他の主要部の他の状態を説明する拡大説明図である。
【図３０】本発明の実施の形態例を示す裁断装置を具備する画像形成の後処理装置の他の主要部の状態を説明する説明図である。
【図３１】本発明の実施の形態例を示す裁断装置を具備する画像形成の後処理装置の他の主要部の他の状態を説明する説明図である。
【図３２】本発明の実施の形態例を示す裁断装置を具備する画像形成の後処理装置の他の主要部を説明する説明図である。
【図３３】本発明の実施の形態例を示す裁断装置を具備する画像形成の後処理装置の他の主要部の状態を説明する説明図である。
【図３４】本発明の実施の形態例を示す裁断装置を具備する画像形成の後処理装置の他の主要部の他の状態を説明する説明図である。
【図３５】本発明の実施の形態例を示す裁断装置を具備する画像形成の後処理装置の他の主要部の他の状態を説明する説明図である。
【図３６】本発明の実施の形態例を示す裁断装置を具備する画像形成の後処理装置の他の主要部の他の状態を説明する説明図である。
【図３７】本発明の実施の形態例を示す裁断装置を具備する画像形成の後処理装置の他の主要部の他の状態を説明する説明図である。
【図３８】本発明の実施の形態例を示す裁断装置を具備する画像形成の後処理装置の他の主要部の他の状態を説明する説明図である。
【図３９】本発明の実施の形態例を示す裁断装置を具備する画像形成の後処理装置の他の主要部の他の状態を説明する説明図である。
【図４０】本発明の実施の形態例を示す裁断装置を具備する画像形成の後処理装置の他の主要部の他の状態を説明する説明図である。
【図４１】本発明の実施の形態例を示す裁断装置を具備する画像形成の後処理装置の他の主要部の他の状態を説明する説明図である。
【図４２】本発明の実施の形態例を示す裁断装置を具備する画像形成の後処理装置の他の主要部の他の状態を説明する説明図である。
【図４３】本発明の実施の形態例を示す裁断装置を具備する画像形成の後処理装置の他の主要部の他の状態を説明する説明図である。
【図４４】本発明の実施の形態例を示す裁断装置を具備する画像形成の後処理装置の他の主要部を説明するブロック図である。
【図４５】本発明の実施の形態例を示す裁断装置を具備する画像形成の後処理装置の他の主要部の動作を説明するフローチャートである。
【図４６】本発明の実施の形態例を示す裁断装置を具備する画像形成の後処理装置の他の主要部の動作を説明するフローチャートである。
【図４７】本発明の実施の形態例を示す裁断装置を具備する画像形成の後処理装置の他の主要部の動作を説明するフローチャートである。
【図４８】本発明の実施の形態例を示す裁断装置を具備する画像形成の後処理装置の他の主要部の動作を説明するフローチャートである。
【図４９】本発明の実施の形態例を示す裁断装置を具備する画像形成の後処理装置の他の主要部の他の動作を説明するフローチャートである。
【図５０】本発明の実施の形態例を示す裁断装置を具備する画像形成の後処理装置の他の主要部の他の動作を説明するフローチャートである。
【図５１】本発明の実施の形態例を示す裁断装置を具備する画像形成の後処理装置の他の主要部の動作を説明するフローチャートである。
【図５２】本発明の実施の形態例を示す裁断装置を具備する画像形成の後処理装置の他の主要部の他の動作を説明するフローチャートである。
【図５３】本発明の実施の形態例を示す裁断装置を具備する画像形成の後処理装置の他の主要部の他の動作を説明するフローチャートである。
【図５４】本発明の実施の形態例を示す裁断装置を具備する画像形成の後処理装置の他の主要部の他の動作を説明するフローチャートである。
【図５５】本発明の実施の形態例を示す裁断装置を具備する画像形成の後処理装置の他の主要部の動作を説明するフローチャートである。
【図５６】本発明の実施の形態例を示す裁断装置を具備する画像形成の後処理装置の他の主要部の他の動作を説明するフローチャートである。
【図５７】本発明の実施の形態例を示す裁断装置を具備する画像形成の後処理装置の他の主要部の他の動作を説明するフローチャートである。
【図５８】本発明の実施の形態例を示す裁断装置を具備する画像形成の後処理装置の他の主要部の他の動作を説明するフローチャートである。
【図５９】本発明の実施の形態例を示す裁断装置を具備する画像形成装置の概略を説明する説明図である。
【図６０】本発明の他の実施の形態例を示す裁断装置を具備する画像形成装置の概略を説明する説明図である。
【図６１】本発明の実施の形態例を示す裁断装置を具備する画像形成装置を説明する拡大説明図である。
【図６２】従来の裁断装置を説明する説明図である。
【符号の説明】
０  裁断装置、０ａ  側板、
０ｂ  側板、
０ｃ  ブラケット、
０ｄ  モータブラケット、
０ｅ  アイドラプーリ
１  折り処理搬送路、１ａ  搬送ローラ上、
１ｂ  搬送ローラ下、
１ｃ  可動後端フェンス、
１ｄ  到達センサ
２  折りプレート、２ａ  軸、
２ｂ  長穴、
２ｃ  軸部、
２ｄ  リンクアーム、
２ｅ  長穴部、
２ｆ  支点、
２ｇ  長穴部、
２ｈ  折りプレート駆動カム、２ｈ１  遮蔽部、
２ｉ  軸部、
２ｊ  折りプレート駆動モータ、
２ｋ  折りプレートＨＰセンサ
３  折り手段、３ａ  一対の折りローラ、３ａ１  折りローラ上、
３ａ２  折りローラ下、
３ｂ  折り部通過センサ
４  増し折り手段、４ａ  増し折りローラ、４ａ１  下ガイド板、
４ａ２  摩擦部材、
４ｂ  増し折りローラ支持部材、４ｂ１  上ガイド板、
４ｂ２  ローラ部材、
４ｂ３  加圧手段、
４ｂ３１  加圧バネ部材、
４ｃ  案内移動部材、４ｃ１  ガイド部材、
４ｃ２  パルスモータ、
４ｃ３  プーリ、
４ｃ４  プーリ、
４ｃ５  タイミングべト、
４ｃ６  位置検知センサ前、
４ｃ７  位置検知センサ後、
４ｃ８  シートの束検知センサ、
５  裁断手段、５ａ  固定刃、
５ｂ  回転移動丸刃、５ｂ１  スライダベース、
５ｂ２  押圧部材、
５ｂ３  ステー、
５ｂ４  コロ部材、
５ｂ５  有端タイミングベルト、
５ｂ６  アイドラプーリ、
５ｂ７  カッタモータ、
５ｂ８  アイドラギヤ、
５ｂ９  駆動ギヤ、
５ｂ１０  カッタＨＰセンサ
６  押え手段、６ａ  一対の押えローラ、６ａ１  駆動ローラ、
６ａ２  従動ローラ、
６ａ３  加圧部材、
６ｂ  押え解除手段、６ｂ１  アーム部材、
６ｂ１１  ピン、
６ｂ２  偏芯カム、
６ｂ３  支点、
６ｂ４  一対の押えローラ解除モ−タ、
６ｂ５  タイミングベルト、
６ｂ６  解除カムＨＰセンサ
７  綴じ処理手段、７ａ  中綴じスティプラ、
７ｂ  端面綴じスティプラ
８  搬送手段、８ａ  下排出センサ
１０  画像形成の後処理装置、１０ａ  穿孔装置、
１０ｂ  上トレイ、
１０ｃ  シフトトレイ、
１０ｄ  整合綴じ処理トレイ、
１０ｄ１  分岐ガイド板、
１０ｄ１１  支点、
１０ｄ１２  加圧コロ、
１０ｄ１３  スプリング、
１０ｄ１４  束分岐駆動モータ、
１０ｄ１５  カム、
１０ｄ１５１  カム面、
１０ｄ２  可動ガイド、
１０ｄ２１  リンクアーム、
１０ｄ２２  軸、
１０ｄ２３  長穴部、
１０ｄ２４  スプリング、
１０ｄ２５  束分岐ガイドＨＰセンサ、
１０ｄ２６  遮蔽版、
１０ｄ２７  ガイド面、
１０ｄ３  可動後端フエンス、
１０ｅ  シート収容部、
１０ｆ  側板
１１  後処理搬送路、１１ａ  穿孔搬送路、１１ａ１  入口センサ、
１１ａ２  入口ローラ、
１１ａ３  搬送ローラ、
１１ｂ  上トレイ搬送路、１１ｂ１  搬送ローラ、
１１ｂ２  上排出ローラ、
１１ｂ３  上排出センサ、
１１ｃ  シフトトレイ搬送路、１１ｃ１  搬送ローラ、
１１ｄ  整合綴じ搬送路、
１１ｄ１  分岐爪、
１１ｄ２  搬送ローラ、
１１ｄ３  搬送ローラ、
１１ｄ４  スティプル排出ローラ、
１１ｄ４１  スティプル搬送モータ、
１１ｄ５  叩きコロ、
１１ｄ５１  支点、
１１ｄ５２  叩きソレノイド（ＳＯＬ）、
１１ｄ５３  叩きコロモータ、
１１ｄ６  ジョガーフエンス、
１１ｄ６１  ジョガーモータ、
１１ｄ６２  タイミングベルト、
１１ｄ７  放出爪、
１１ｄ８  放出ベルト、
１１ｄ９  放出ベルトＨＰセンサ、
１１ｄ１０  放出モータ、
１１ｄ１１  駆動軸、
１１ｄ１２  駆動プーリ、
１１ｄ１３  放出ローラ、
１１ｄ１３１  回転軸、
１１ｄ１４  ステー、
１１ｄ１５  スティプラ移動モータ、
１１ｄ１６  タイミングベルト、
１１ｄ１７  スティプラ移動ＨＰセンサ、
１１ｄ１８  搬送ローラ、
１１ｄ１９  スティプル排出センサ、
１１ｄ２０  シート有無センサ、
１１ｄ２１  斜めモータ
１２  下トレイ
１３  分岐爪
１４  分岐爪
１５  シート積載装置、１５ａ  シフト排出ローラ、
１５ａ１  駆動ローラ、
１５ａ２  従動ローラ、
１５ａ３  シフト排出センサ、
１５ｂ  戻しコロ、
１５ｃ  シート面検知センサ、
１５ｃ１  シート面検知レバー、
１５ｃ１１  軸部、
１５ｃ１２  接触部、
１５ｃ１３    遮蔽部、
１５ｃ２  シート面検知センサ（スティプル用）、
１５ｃ３  シート面検知センサ（スティプル用）、
１５ｄ  昇降機構、
１５ｄ１  シフトトレイ上昇リミットスイッチ、
１５ｄ２  トレイ昇降モータ、
１５ｄ３  駆動軸、
１５ｄ４  従動軸、
１５ｄ５  タイミングプーリ、
１５ｄ６  タイミングベルト、
１５ｄ７  基板、
１５ｄ８  ウオームギヤ、
１５ｄ９  ギヤ列、
１５ｄ１０  遮蔽板、
１５ｄ１１  満杯検知センサ、
１５ｄ１２  下限センサ、
１５ｅ  シフト機構、
１５ｅ１  シフトモータ、
１５ｅ２  シフトカム、
１５ｅ３  ピン、
１５ｅ４  エンドフエンス、
１５ｅ４１  長穴部、
１５ｅ５  シフトセンサ、
１５ｆ  排出開閉ガイド板、
１５ｆ１  排出開閉ガイド板センサ、
１５ｆ２  排出開閉ガイド板開閉モータ
１６  制御手段、１６ａ  ＣＰＵ、
１６ｂ  Ｉ／Ｏインターフェース
２０  画像形成装置
２１  トナー画像形成手段、２１ａ  中間転写ベルト、
２１ｂ  ベルト形状の像担持体、
２１ｃ  転写手段、２１ｃ１  転写ローラ、
２１ｃ２  対向転写ローラ、
２１ｄ  転写手段、２１ｄ１  転写ローラ、
２１ｄ２  対向転写ローラ、
２１ｅ  テンションローラ、
２１ｆ  テンションローラ、
２１ｇ  帯電器、
２１ｈ  光書き込みユニット、
２１ｉ  現像手段、２１ｉ１  ブラック現像装置、
２１ｉ２  シアン現像装置、
２１ｉ３  マゼンタ現像装置、
２１ｉ４  イエロー現像装置、
２１ｊ  搬送ローラ、
２１ｋ  定着装置、
２１ｌ  駆動ローラ、
２１ｍ  クリーニング対向ローラ、
２１ｎ  レジストローラ対、
２１ｏ  排紙コロ対、
２１ｑ  操作部、
２１ｒ  感光体クリーニング装置
２２  給紙装置
２３  スキャナー
２４  ＡＲＤＦ
１００  裁断装置
１０１  折り処理搬送路
１０２  折りプレート
１０３  折り機構、１０３ａ  一対の折りローラ
１０４  増し折り機構、１０４ａ  増し折りローラ
１０５  裁断機構、１０５ａ  固定刃、
１０５ｂ  回転移動丸刃
１０６  排紙ローラ
１１０  画像形成の後処理装置
１２０  画像形成装置
【図１】
2004168499.tif 000003
【図２】
2004168499.tif 000004
【図３】
2004168499.tif 000005
【図４】
2004168499.tif 000006
【図５】
2004168499.tif 000007
【図６】
2004168499.tif 000008
【図７】
2004168499.tif 000009
【図８】
2004168499.tif 000010
【図９】
2004168499.tif 000011
【図１０】
2004168499.tif 000012
【図１１】
2004168499.tif 000013
【図１２】
2004168499.tif 000014
【図１３】
2004168499.tif 000015
【図１４】
2004168499.tif 000016
【図１５】
2004168499.tif 000017
【図１６】
2004168499.tif 000018
【図１７】
2004168499.tif 000019
【図１８】
2004168499.tif 000020
【図１９】
2004168499.tif 000021
【図２０】
2004168499.tif 000022
【図２１】
2004168499.tif 000023
【図２２】
2004168499.tif 000024
【図２３】
2004168499.tif 000025
【図２４】
2004168499.tif 000026
【図２５】
2004168499.tif 000027
【図２６】
2004168499.tif 000028
【図２７】
2004168499.tif 000029
【図２８】
2004168499.tif 000030
【図２９】
2004168499.tif 000031
【図３０】
2004168499.tif 000032
【図３１】
2004168499.tif 000033
【図３２】
2004168499.tif 000034
【図３３】
2004168499.tif 000035
【図３４】
2004168499.tif 000036
【図３５】
2004168499.tif 000037
【図３６】
2004168499.tif 000038
【図３７】
2004168499.tif 000039
【図３８】
2004168499.tif 000040
【図３９】
2004168499.tif 000041
【図４０】
2004168499.tif 000042
【図４１】
2004168499.tif 000043
【図４２】
2004168499.tif 000044
【図４３】
2004168499.tif 000045
【図４４】
2004168499.tif 000046
【図４５】
2004168499.tif 000047
【図４６】
2004168499.tif 000048
【図４７】
2004168499.tif 000049
【図４８】
2004168499.tif 000050
【図４９】
2004168499.tif 000051
【図５０】
2004168499.tif 000052
【図５１】
2004168499.tif 000053
【図５２】
2004168499.tif 000054
【図５３】
2004168499.tif 000055
【図５４】
2004168499.tif 000056
【図５５】
2004168499.tif 000057
【図５６】
2004168499.tif 000058
【図５７】
2004168499.tif 000059
【図５８】
2004168499.tif 000060
【図５９】
2004168499.tif 000061
【図６０】
2004168499.tif 000062
【図６１】
2004168499.tif 000063
【図６２】
2004168499.tif 000064